(57)【要約】【課題】　誤り訂正能力が向上する誤り訂正方法及び情報再生装置を提供する。【解決手段】　冗長度の高い第１符号化データに含まれる第１シンボルに誤りが検出された、または同期データが検出できなかった場合には、誤りが検出された第１シンボルまたは検出できなかった同期データの近傍に配列された第２シンボルを消失として判定する。また、同期データが位置ずれして検出された場合には、その同期データより前に配列された符号化データに含まれるシンボルを消失として判定し、その同期データより後ろに配列された符号化データに含まれるシンボルを消失ではないと判定する。また、検出できなかった同期データおよび位置ずれして検出された同期データが連続している場合には、その連続する同期データの間の全ての符号化データに含まれるシンボルを消失として判定する。【選択図】　図１
2004140816.tif 000002
【特許請求の範囲】
【請求項１】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも一つが配列されており、
　前記複数の第１シンボルは、Ｎ（Ｎは整数）番目の第１シンボルと、Ｎ＋１番目の第１シンボルと、Ｎ＋２番目の第１シンボルとを含み、
　前記再生方法は、
　前記記録媒体から前記複合符号化データを読み取り、前記第１符号化データと前記第２符号化データとを出力する読み取りステップと、
　前記第１符号化データの誤り訂正を行い、前記第１符号化データの誤り位置を示す誤り位置情報を生成する誤り位置情報生成ステップと、
　前記誤り位置情報に基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、前記Ｎ番目の第１シンボルと前記Ｎ＋２番目の第１シンボルとには誤りが検出されず、前記Ｎ＋１番目の第１シンボルに誤りが検出されたことを前記誤り位置情報が示す場合には、前記Ｎ＋１番目の第１シンボルに隣接して配列された複数の第２シンボルのうちの少なくとも一つを消失と判定するステップを含む、再生方法。
【請求項２】
　前記消失位置情報生成ステップは、前記Ｎ番目の第１シンボルと前記Ｎ＋２番目の第１シンボルとには誤りが検出されず、前記Ｎ＋１番目の第１シンボルに誤りが検出されたことを前記誤り位置情報が示す場合には、前記Ｎ番目の第１シンボルと前記Ｎ＋１番目の第１シンボルとの間に配列された少なくとも一つの第２シンボルのうちの前記Ｎ＋１番目の第１シンボルに隣接して配列された少なくとも一つの第２シンボルを消失と判定し、前記Ｎ＋１番目の第１シンボルと前記Ｎ＋２番目の第１シンボルとの間に配列された少なくとも一つの第２シンボルのうちの前記Ｎ＋１番目の第１シンボルに隣接して配列された少なくとも一つの第２シンボルを消失と判定するステップをさらに含む、請求項１に記載の再生方法。
【請求項３】
　前記消失位置情報生成ステップは、互いに隣接した二つの第１シンボルのうちの両方に誤りが検出されたことを前記誤り位置情報が示す場合には、前記誤りが検出された二つの第１シンボルの間に配列された全ての第２シンボルを消失と判定するステップをさらに含む、請求項１に記載の再生方法。
【請求項４】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも二つが配列されており、
　前記再生方法は、
　前記記録媒体から前記複合符号化データを読み取り、前記第１符号化データと前記第２符号化データとを出力する読み取りステップと、
　前記第１符号化データの誤り訂正を行い、前記第１符号化データの誤り位置を示す誤り位置情報を生成する誤り位置情報生成ステップと、
　前記誤り位置情報に基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、誤りが検出されなかった第１シンボルと誤りが検出された第１シンボルとが隣接していることを前記誤り位置情報が示す場合には、前記誤りが検出されなかった第１シンボルと前記誤りが検出された第１シンボルとの間に配列された少なくとも二つの第２シンボルのうちの前記誤りが検出された第１シンボルに隣接して配列された少なくとも一つの第２シンボルを消失と判定し、前記誤りが検出されなかった第１シンボルに隣接して配列された少なくとも一つの第２シンボルを消失ではないと判定するステップを含む、再生方法。
【請求項５】
　前記消失位置情報生成ステップは、互いに隣接した二つの第１シンボルのうちの両方に誤りが検出されたことを前記誤り位置情報が示す場合には、前記誤りが検出された二つの第１シンボルの間に配列された全ての第２シンボルを消失と判定するステップをさらに含む、請求項４に記載の再生方法。
【請求項６】
　複数の同期データと誤り訂正符号化された符号化データとが記録された記録媒体から前記符号化データを再生する再生方法であって、
　前記符号化データは複数のシンボルを含み、
　前記複数の同期データのうちの互いに隣接する同期データの間には、前記複数のシンボルのうちの少なくとも一つが配列されており、
　前記複数の同期データは、Ｎ（Ｎは整数）番目の同期データと、Ｎ＋１番目の同期データと、Ｎ＋２番目の同期データとを含み、
　前記再生方法は、
　前記記録媒体から前記複数の同期データと前記符号化データとを読み取る読み取りステップと、
　前記複数の同期データの状態を検出し、前記検出結果を示す同期検出情報を生成する同期検出情報生成ステップと、
　前記同期検出情報に基づいて前記符号化データの消失位置を示す消失位置情報を生成する消失位置情報生成ステップと、
　前記消失位置情報に基づいて前記符号化データの消失誤り訂正を行う消失誤り訂正ステップと
　を包含し、
　前記消失位置情報生成ステップは、前記Ｎ番目の同期データと前記Ｎ＋２番目の同期データとは検出され、前記Ｎ＋１番目の同期データは検出されなかったことを前記同期検出情報が示す場合には、前記Ｎ＋１番目の同期データに隣接して配列された複数のシンボルのうちの少なくとも一つを消失と判定するステップを含む、再生方法。
【請求項７】
　前記消失位置情報生成ステップは、前記Ｎ番目の同期データと前記Ｎ＋２番目の同期データとは検出され、前記Ｎ＋１番目の同期データは検出されなかったことを前記同期検出情報が示す場合には、前記Ｎ番目の同期データと前記Ｎ＋１番目の同期データとの間に配列された少なくとも一つのシンボルのうちの前記Ｎ＋１番目の同期データに隣接して配列された少なくとも一つのシンボルを消失と判定し、前記Ｎ＋１番目の同期データと前記Ｎ＋２番目の同期データとの間に配列された少なくとも一つのシンボルのうちの前記Ｎ＋１番目の同期データに隣接して配列された少なくとも一つのシンボルを消失と判定するステップをさらに含む、請求項６に記載の再生方法。
【請求項８】
　前記消失位置情報生成ステップは、互いに隣接した二つの同期データのうちの両方が検出されなかったことを前記同期検出情報が示す場合には、前記検出されなかった二つの同期データの間に配列された全てのシンボルを消失と判定するステップをさらに含む、請求項６に記載の再生方法。
【請求項９】
　複数の同期データと誤り訂正符号化された符号化データとが記録された記録媒体から前記符号化データを再生する再生方法であって、
　前記符号化データは複数のシンボルを含み、
　前記複数の同期データのうちの互いに隣接する同期データの間には、前記複数のシンボルのうちの少なくとも二つが配列されており、
　前記再生方法は、
　前記記録媒体から前記複数の同期データと前記符号化データとを読み取る読み取りステップと、
　前記複数の同期データの状態を検出し、前記検出結果を示す同期検出情報を生成する同期検出情報生成ステップと、
　前記同期検出情報に基づいて前記符号化データの消失位置を示す消失位置情報を生成する消失位置情報生成ステップと、
　前記消失位置情報に基づいて前記符号化データの消失誤り訂正を行う消失誤り訂正ステップと
　を包含し、
　前記消失位置情報生成ステップは、検出された同期データに隣接している同期データが検出されなかったことを前記同期検出情報が示す場合には、前記検出された同期データと前記検出されなかった同期データとの間に配列された少なくとも二つのシンボルのうちの前記検出されなかった同期データに隣接して配列された少なくとも一つのシンボルを消失と判定し、前記検出された同期データに隣接して配列された少なくとも一つのシンボルを消失ではないと判定するステップを含む、再生方法。
【請求項１０】
　前記消失位置情報生成ステップは、互いに隣接した二つの同期データのうちの両方が検出されなかったことを前記同期検出情報が示す場合には、前記検出されなかった二つの同期データの間に配列された全てのシンボルを消失と判定するステップをさらに含む、請求項９に記載の再生方法。
【請求項１１】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生方法は、
　前記記録媒体から前記複合符号化データを読み取り、前記第１符号化データと前記第２符号化データと前記複数の同期データとを出力する読み取りステップと、
　前記複数の同期データの状態を検出し、前記検出結果を示す同期検出情報を生成する同期検出情報生成ステップと、
　前記第１符号化データの誤り訂正を行い、前記第１符号化データの誤り位置を示す誤り位置情報を生成する誤り位置情報生成ステップと、
　前記誤り位置情報と前記同期検出情報とに基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、検出されなかった同期データが存在することを前記同期検出情報が示し、前記検出されなかった同期データの両側のそれぞれに隣接する第１シンボルに誤りが検出されなかったことを前記誤り位置情報が示す場合には、前記検出されなかった同期データに隣接して配列された複数の第２シンボルのうちの少なくとも一つを消失と判定するステップを含む、再生方法。
【請求項１２】
　前記複数の同期データのうちの互いに隣接する同期データの間には、少なくとも二つの第１シンボルが配列されており、
　前記少なくとも二つの第１シンボルのうちの互いに隣接する第１シンボルの間には、少なくとも一つの第２シンボルが配列されており、
　前記消失位置情報生成ステップは、誤りが検出された第１シンボルが存在することを前記誤り位置情報が示し、前記誤りが検出された第１シンボルの両側のそれぞれには検出された同期データと誤りが検出されなかった第１シンボルとの一方が隣接していることを前記誤り位置情報と前記同期検出情報との少なくとも一方が示す場合には、前記誤りが検出された第１シンボルに隣接して配列された複数の第２シンボルのうちの少なくとも一つを消失と判定するステップをさらに含む、請求項１１に記載の再生方法。
【請求項１３】
　複数の同期データと誤り訂正符号化された符号化データとが記録された記録媒体から前記符号化データを再生する再生方法であって、
　前記符号化データは複数のシンボルを含み、
　前記複数の同期データのうちの互いに隣接する同期データの間には、前記複数のシンボルのうちの少なくとも一つが配列されており、
　前記複数の同期データは、Ｎ（Ｎは整数）番目の同期データと、Ｎ＋１番目の同期データとを含み、
　前記再生方法は、
　前記記録媒体から前記複数の同期データと前記符号化データとを読み取る読み取りステップと、
　前記複数の同期データの状態を検出し、前記検出結果を示す同期検出情報を生成する同期検出情報生成ステップと、
　前記同期検出情報に基づいて前記符号化データの消失位置を示す消失位置情報を生成する消失位置情報生成ステップと、
　前記消失位置情報に基づいて前記符号化データの消失誤り訂正を行う消失誤り訂正ステップと
　を包含し、
　前記消失位置情報生成ステップは、前記Ｎ＋１番目の同期データが位置ずれして検出されたことを前記同期検出情報が示す場合には、前記Ｎ番目の同期データと前記Ｎ＋１番目の同期データとの間に配列された少なくとも一つのシンボルを消失と判定するステップを含む、再生方法。
【請求項１４】
　前記複数の同期データは、Ｎ＋２番目の同期データを含み、
　前記消失位置情報生成ステップは、前記Ｎ＋１番目の同期データが位置ずれして検出されたことを前記同期検出情報が示す場合には、前記Ｎ＋１番目の同期データと前記Ｎ＋２番目の同期データとの間に配列された少なくとも一つのシンボルを消失ではないと判定するステップをさらに含む、請求項１３に記載の再生方法。
【請求項１５】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記複数の同期データは、Ｎ（Ｎは整数）番目の同期データと、Ｎ＋１番目の同期データとを含み、
　前記再生方法は、
　前記記録媒体から前記複合符号化データを読み取り、前記第１符号化データと前記第２符号化データと前記複数の同期データとを出力する読み取りステップと、
　前記複数の同期データの状態を検出し、前記検出結果を示す同期検出情報を生成する同期検出情報生成ステップと、
　前記第１符号化データの誤り訂正を行い、前記第１符号化データの誤り位置を示す誤り位置情報を生成する誤り位置情報生成ステップと、
　前記誤り位置情報と前記同期検出情報とに基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、前記Ｎ＋１番目の同期データが位置ずれして検出されたことを前記同期検出情報が示す場合には、前記Ｎ番目の同期データと前記Ｎ＋１番目の同期データとの間に配列された少なくとも一つの第２シンボルを消失と判定するステップを含む、再生方法。
【請求項１６】
　前記複数の同期データは、Ｎ＋２番目の同期データを含み、
　前記消失位置情報生成ステップは、前記Ｎ＋１番目の同期データが位置ずれして検出されたことを前記同期検出情報が示す場合には、前記Ｎ＋１番目の同期データと前記Ｎ＋２番目の同期データとの間に配列された少なくとも一つの第２シンボルを消失ではないと判定するステップをさらに含む、請求項１５に記載の再生方法。
【請求項１７】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記複数の同期データは、Ｎ（Ｎは整数）番目の同期データと、Ｎ＋１番目の同期データとを含み、
　前記Ｎ番目の同期データと前記Ｎ＋１番目の同期データとの間には所定の第１シンボルが配列されており、
　前記再生方法は、
　前記記録媒体から前記複合符号化データを読み取り、前記第１符号化データと前記第２符号化データと前記複数の同期データとを出力する読み取りステップと、
　前記複数の同期データの状態を検出し、前記検出結果を示す同期検出情報を生成する同期検出情報生成ステップと、
　前記第１符号化データの誤り訂正を行い、前記第１符号化データの誤り位置を示す誤り位置情報を生成する誤り位置情報生成ステップと、
　前記誤り位置情報と前記同期検出情報とに基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、前記Ｎ＋１番目の同期データが位置ずれして検出されたことを前記同期検出情報が示す場合には、前記所定の第１シンボルと前記Ｎ＋１番目の同期データとの間に配列された少なくとも一つの第２シンボルを消失と判定するステップを含む、再生方法。
【請求項１８】
　前記複数の同期データは、Ｎ＋２番目の同期データを含み、
　前記Ｎ＋１番目の同期データと前記Ｎ＋２番目の同期データとの間には別の所定の第１シンボルが配列されており、
　前記消失位置情報生成ステップは、前記Ｎ＋１番目の同期データが位置ずれして検出されたことを前記同期検出情報が示す場合には、前記Ｎ＋１番目の同期データと前記別の所定の第１シンボルとの間に配列された少なくとも一つの第２シンボルを消失ではないと判定するステップをさらに含む、請求項１７に記載の再生方法。
【請求項１９】
　複数の同期データと誤り訂正符号化された符号化データとが記録された記録媒体から前記符号化データを再生する再生方法であって、
　前記符号化データは複数のシンボルを含み、
　前記複数の同期データのうちの互いに隣接する同期データの間には、前記複数のシンボルのうちの少なくとも一つが配列されており、
　前記再生方法は、
　前記記録媒体から前記複数の同期データと前記符号化データとを読み取る読み取りステップと、
　前記複数の同期データの状態を検出し、前記検出結果を示す同期検出情報を生成する同期検出情報生成ステップと、
　前記同期検出情報に基づいて前記符号化データの消失位置を示す消失位置情報を生成する消失位置情報生成ステップと、
　前記消失位置情報に基づいて前記符号化データの消失誤り訂正を行う消失誤り訂正ステップと
　を包含し、
　前記消失位置情報生成ステップは、検出されなかった同期データと位置ずれして検出された同期データとの少なくとも一方が連続して存在することを前記同期検出情報が示す場合には、前記連続する同期データの間に配列された少なくとも一つのシンボルを消失と判定するステップを含む、再生方法。
【請求項２０】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生方法は、
　前記記録媒体から前記複合符号化データを読み取り、前記第１符号化データと前記第２符号化データと前記複数の同期データとを出力する読み取りステップと、
　前記複数の同期データの状態を検出し、前記検出結果を示す同期検出情報を生成する同期検出情報生成ステップと、
　前記第１符号化データの誤り訂正を行い、前記第１符号化データの誤り位置を示す誤り位置情報を生成する誤り位置情報生成ステップと、
　前記誤り位置情報と前記同期検出情報とに基づいて前記第２符号化データの消失位置を示す消失位置情報を生成する消失位置情報生成ステップと、
　前記消失位置情報に基づいて前記第２符号化データの消失誤り訂正を行う消失誤り訂正ステップと
　を包含し、
　前記消失位置情報生成ステップは、検出されなかった同期データと位置ずれして検出された同期データとの少なくとも一方が連続して存在することを前記同期検出情報が示す場合には、前記連続する同期データの間に配列された少なくとも一つの第２シンボルを消失と判定するステップを含む、再生方法。
【請求項２１】
　前記消失位置情報生成ステップは、前記連続する同期データの間に配列された少なくとも一つの第１シンボルを消失と判定するステップをさらに含む、請求項２０に記載の再生方法。
【請求項２２】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも一つが配列されており、
　前記再生方法は、
　前記記録媒体から前記複合符号化データを読み取り、前記第１符号化データと前記第２符号化データとを出力する読み取りステップと、
　前記第１符号化データの誤り訂正を行い、前記第１符号化データの誤り位置を示す誤り位置情報を生成する誤り位置情報生成ステップと、
　前記誤り位置情報に基づいて、前記第２符号化データの消失位置を示す第１の消失位置情報と第２の消失位置情報とを少なくとも生成する消失位置情報生成ステップと、
　前記第１の消失位置情報と前記第２の消失位置情報との少なくとも一方に基づいて、前記第２符号化データの消失誤り訂正を行う消失誤り訂正ステップと
　を包含し、
　前記消失誤り訂正ステップは、前記第１の消失位置情報に基づいて訂正できなかった誤りが存在する場合には、前記第２の消失位置情報に基づいて前記第２符号化データの消失誤り訂正を行うステップを含む、再生方法。
【請求項２３】
　前記消失位置情報生成ステップは、
　前記第１の消失位置情報に基づいて全ての誤りが訂正できた場合には、前記第１の消失位置情報の生成時と同じ方法を用いて、別の第２符号化データの消失誤り訂正のための消失位置情報を生成するステップと、
　前記第２の消失位置情報に基づいて全ての誤りが訂正できた場合には、前記第２の消失位置情報の生成時と同じ方法を用いて、別の第２符号化データの消失誤り訂正のための消失位置情報を生成するステップとを含む、請求項２２に記載の再生方法。
【請求項２４】
　前記複数の第１シンボルは、Ｎ（Ｎは整数）番目の第１シンボルと、Ｎ＋１番目の第１シンボルと、Ｎ＋２番目の第１シンボルとを含み、
　前記消失位置情報生成ステップは、前記Ｎ番目の第１シンボルと前記Ｎ＋２番目の第１シンボルとには誤りが検出されず、前記Ｎ＋１番目の第１シンボルに誤りが検出されたことを前記誤り位置情報が示す場合には、前記Ｎ＋１番目の第１シンボルに隣接して配列された複数の第２シンボルのうちの少なくとも一つを消失と判定するステップを含む、請求項２２に記載の再生方法。
【請求項２５】
　複数の同期データと誤り訂正符号化された符号化データとが記録された記録媒体から前記符号化データを再生する再生方法であって、
　前記符号化データは複数のシンボルを含み、
　前記複数の同期データのうちの互いに隣接する同期データの間には、前記複数のシンボルのうちの少なくとも一つが配列されており、
　前記再生方法は、
　前記記録媒体から前記複数の同期データと前記符号化データとを読み取る読み取りステップと、
　前記複数の同期データの状態を検出し、前記検出結果を示す同期検出情報を生成する同期検出情報生成ステップと、
　前記同期検出情報に基づいて前記符号化データの消失位置を示す第１の消失位置情報と第２の消失位置情報とを少なくとも生成する消失位置情報生成ステップと、
　前記第１の消失位置情報と前記第２の消失位置情報との少なくとも一方に基づいて前記符号化データの消失誤り訂正を行う消失誤り訂正ステップと
　を包含し、
　前記消失誤り訂正ステップは、前記第１の消失位置情報に基づいて訂正できなかった誤りが存在する場合には、前記第２の消失位置情報に基づいて前記符号化データの消失誤り訂正を行うステップを含む、再生方法。
【請求項２６】
　前記消失位置情報生成ステップは、
　前記第１の消失位置情報に基づいて全ての誤りが訂正できた場合には、前記第１の消失位置情報の生成時と同じ方法を用いて、別の符号化データの消失誤り訂正のための消失位置情報を生成するステップと、
　前記第２の消失位置情報に基づいて全ての誤りが訂正できた場合には、前記第２の消失位置情報の生成時と同じ方法を用いて、別の符号化データの消失誤り訂正のための消失位置情報を生成するステップとを含む、請求項２５に記載の再生方法。
【請求項２７】
　前記複数の同期データは、Ｎ（Ｎは整数）番目の同期データと、Ｎ＋１番目の同期データと、Ｎ＋２番目の同期データとを含み、
　前記消失位置情報生成ステップは、前記Ｎ番目の同期データと前記Ｎ＋２番目の同期データとは検出され、前記Ｎ＋１番目の同期データは検出されなかったことを前記同期検出情報が示す場合には、前記Ｎ＋１番目の同期データに隣接して配列された複数のシンボルのうちの少なくとも一つを消失と判定するステップを含む、請求項２５に記載の再生方法。
【請求項２８】
　前記複数の同期データは、Ｎ（Ｎは整数）番目の同期データと、Ｎ＋１番目の同期データとを含み、
　前記消失位置情報生成ステップは、前記Ｎ＋１番目の同期データが位置ずれして検出されたことを前記同期検出情報が示す場合には、前記Ｎ番目の同期データと前記Ｎ＋１番目の同期データとの間に配列された少なくとも一つのシンボルを消失と判定するステップを含む、請求項２５に記載の再生方法。
【請求項２９】
　前記消失位置情報生成ステップは、検出されなかった同期データと位置ずれして検出された同期データとの少なくとも一方が連続して存在することを前記同期検出情報が示す場合には、前記連続する同期データの間に配列された少なくとも一つのシンボルを消失と判定するステップを含む、請求項２５に記載の再生方法。
【請求項３０】
　複合符号化データが記録された記録媒体から前記複合符号化データを再生する再生方法であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生方法は、
　前記記録媒体から前記複合符号化データを読み取り、前記第１符号化データと前記第２符号化データと前記複数の同期データとを出力する読み取りステップと、
　前記複数の同期データの状態を検出し、前記検出結果を示す同期検出情報を生成する同期検出情報生成ステップと、
　前記第１符号化データの誤り訂正を行い、前記第１符号化データの誤り位置を示す誤り位置情報を生成する誤り位置情報生成ステップと、
　前記誤り位置情報と前記同期検出情報とに基づいて、前記第２符号化データの消失位置を示す第１の消失位置情報と第２の消失位置情報とを少なくとも生成する消失位置情報生成ステップと、
　前記第１の消失位置情報と前記第２の消失位置情報との少なくとも一方に基づいて前記第２符号化データの消失誤り訂正を行う消失誤り訂正ステップと
　を包含し、
　前記消失誤り訂正ステップは、前記第１の消失位置情報に基づいて訂正できなかった誤りが存在する場合には、前記第２の消失位置情報に基づいて前記第２符号化データの消失誤り訂正を行うステップを含む、再生方法。
【請求項３１】
　前記消失位置情報生成ステップは、
　前記第１の消失位置情報に基づいて全ての誤りが訂正できた場合には、前記第１の消失位置情報の生成時と同じ方法を用いて、別の第２符号化データの消失誤り訂正のための消失位置情報を生成するステップと、
　前記第２の消失位置情報に基づいて全ての誤りが訂正できた場合には、前記第２の消失位置情報の生成時と同じ方法を用いて、別の第２符号化データの消失誤り訂正のための消失位置情報を生成するステップとを含む、請求項３０に記載の再生方法。
【請求項３２】
　前記消失位置情報生成ステップは、検出されなかった同期データが存在することを前記同期検出情報が示し、前記検出されなかった同期データの両側のそれぞれに隣接する第１シンボルに誤りが検出されなかったことを前記誤り位置情報が示す場合には、前記検出されなかった同期データに隣接して配列された複数の第２シンボルのうちの少なくとも一つを消失と判定するステップを含む、請求項３０に記載の再生方法。
【請求項３３】
　前記複数の同期データのうちの互いに隣接する同期データの間には、少なくとも二つの第１シンボルが配列されており、
　前記少なくとも二つの第１シンボルのうちの互いに隣接する第１シンボルの間には、少なくとも一つの第２シンボルが配列されており、
　前記消失位置情報生成ステップは、誤りが検出された第１シンボルが存在することを前記誤り位置情報が示し、前記誤りが検出された第１シンボルの両側のそれぞれには検出された同期データと誤りが検出されなかった第１シンボルとの一方が隣接していることを前記誤り位置情報と前記同期検出情報との少なくとも一方が示す場合には、前記誤りが検出された第１シンボルに隣接して配列された複数の第２シンボルのうちの少なくとも一つを消失と判定するステップを含む、請求項３０に記載の再生方法。
【請求項３４】
　前記複数の同期データは、Ｎ（Ｎは整数）番目の同期データと、Ｎ＋１番目の同期データとを含み、
　前記消失位置情報生成ステップは、前記Ｎ＋１番目の同期データが位置ずれして検出されたことを前記同期検出情報が示す場合には、前記Ｎ番目の同期データと前記Ｎ＋１番目の同期データとの間に配列された少なくとも一つの第２シンボルを消失と判定するステップを含む、請求項３０に記載の再生方法。
【請求項３５】
　前記消失位置情報生成ステップは、検出されなかった同期データと位置ずれして検出された同期データとの少なくとも一方が連続して存在することを前記同期検出情報が示す場合には、前記連続する同期データの間に配列された少なくとも一つの第２シンボルを消失と判定するステップを含む、請求項３０に記載の再生方法。
【請求項３６】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも一つが配列されており、
　前記複数の第１シンボルは、Ｎ（Ｎは整数）番目の第１シンボルと、Ｎ＋１番目の第１シンボルと、Ｎ＋２番目の第１シンボルとを含み、
　前記再生装置は、
　前記記録媒体から前記複合符号化データを読み取り、前記第１符号化データと前記第２符号化データとを出力する読み取り部と、
　前記第１符号化データの誤り訂正を行い、前記第１符号化データの誤り位置を示す誤り位置情報を生成する誤り位置情報生成部と、
　前記誤り位置情報に基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記誤り位置情報が、前記Ｎ番目の第１シンボルと前記Ｎ＋２番目の第１シンボルとには誤りが検出されず、前記Ｎ＋１番目の第１シンボルに誤りが検出されたことを示す場合には、前記消失位置情報生成部は、前記Ｎ＋１番目の第１シンボルに隣接して配列された複数の第２シンボルのうちの少なくとも一つを消失と判定する、再生装置。
【請求項３７】
　前記誤り位置情報が、前記Ｎ番目の第１シンボルと前記Ｎ＋２番目の第１シンボルとには誤りが検出されず、前記Ｎ＋１番目の第１シンボルに誤りが検出されたことを示す場合には、前記消失位置情報生成部は、前記Ｎ番目の第１シンボルと前記Ｎ＋１番目の第１シンボルとの間に配列された少なくとも一つの第２シンボルのうちの前記Ｎ＋１番目の第１シンボルに隣接して配列された少なくとも一つの第２シンボルを消失と判定し、前記Ｎ＋１番目の第１シンボルと前記Ｎ＋２番目の第１シンボルとの間に配列された少なくとも一つの第２シンボルのうちの前記Ｎ＋１番目の第１シンボルに隣接して配列された少なくとも一つの第２シンボルを消失と判定する、請求項３６に記載の再生装置。
【請求項３８】
　前記誤り位置情報が、互いに隣接した二つの第１シンボルのうちの両方に誤りが検出されたことを示す場合には、前記消失位置情報生成部は、前記誤りが検出された二つの第１シンボルの間に配列された全ての第２シンボルを消失と判定する、請求項３６に記載の再生装置。
【請求項３９】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも二つが配列されており、
　前記再生装置は、
　前記記録媒体から前記複合符号化データを読み取り、前記第１符号化データと前記第２符号化データとを出力する読み取り部と、
　前記第１符号化データの誤り訂正を行い、前記第１符号化データの誤り位置を示す誤り位置情報を生成する誤り位置情報生成部と、
　前記誤り位置情報に基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記誤り位置情報が、誤りが検出されなかった第１シンボルと誤りが検出された第１シンボルとが隣接していることを示す場合には、前記消失位置情報生成部は、前記誤りが検出されなかった第１シンボルと前記誤りが検出された第１シンボルとの間に配列された少なくとも二つの第２シンボルのうちの前記誤りが検出された第１シンボルに隣接して配列された少なくとも一つの第２シンボルを消失と判定し、前記誤りが検出されなかった第１シンボルに隣接して配列された少なくとも一つの第２シンボルを消失ではないと判定する、再生装置。
【請求項４０】
　前記誤り位置情報が、互いに隣接した二つの第１シンボルのうちの両方に誤りが検出されたことを示す場合には、前記消失位置情報生成部は、前記誤りが検出された二つの第１シンボルの間に配列された全ての第２シンボルを消失と判定する、請求項３９に記載の再生装置。
【請求項４１】
　複数の同期データと誤り訂正符号化された符号化データとが記録された記録媒体から前記符号化データを再生する再生装置であって、
　前記符号化データは複数のシンボルを含み、
　前記複数の同期データのうちの互いに隣接する同期データの間には、前記複数のシンボルのうちの少なくとも一つが配列されており、
　前記複数の同期データは、Ｎ（Ｎは整数）番目の同期データと、Ｎ＋１番目の同期データと、Ｎ＋２番目の同期データとを含み、
　前記再生装置は、
　前記記録媒体から前記複数の同期データと前記符号化データとを読み取る読み取り部と、
　前記複数の同期データの状態を検出し、前記検出結果を示す同期検出情報を生成する同期検出情報生成部と、
　前記同期検出情報に基づいて前記符号化データの消失位置を示す消失位置情報を生成する消失位置情報生成部と、
　前記消失位置情報に基づいて前記符号化データの消失誤り訂正を行う消失誤り訂正部と
　を備え、
　前記同期検出情報が、前記Ｎ番目の同期データと前記Ｎ＋２番目の同期データとは検出され、前記Ｎ＋１番目の同期データは検出されなかったことを示す場合には、前記消失位置情報生成部は、前記Ｎ＋１番目の同期データに隣接して配列された複数のシンボルのうちの少なくとも一つを消失と判定する、再生装置。
【請求項４２】
　前記同期検出情報が、前記Ｎ番目の同期データと前記Ｎ＋２番目の同期データとは検出され、前記Ｎ＋１番目の同期データは検出されなかったことを示す場合には、前記消失位置情報生成部は、前記Ｎ番目の同期データと前記Ｎ＋１番目の同期データとの間に配列された少なくとも一つのシンボルのうちの前記Ｎ＋１番目の同期データに隣接して配列された少なくとも一つのシンボルを消失と判定し、前記Ｎ＋１番目の同期データと前記Ｎ＋２番目の同期データとの間に配列された少なくとも一つのシンボルのうちの前記Ｎ＋１番目の同期データに隣接して配列された少なくとも一つのシンボルを消失と判定する、請求項４１に記載の再生装置。
【請求項４３】
　前記同期検出情報が、互いに隣接した二つの同期データのうちの両方が検出されなかったことを示す場合には、前記消失位置情報生成部は、前記検出されなかった二つの同期データの間に配列された全てのシンボルを消失と判定する、請求項４１に記載の再生装置。
【請求項４４】
　複数の同期データと誤り訂正符号化された符号化データとが記録された記録媒体から前記符号化データを再生する再生装置であって、
　前記符号化データは複数のシンボルを含み、
　前記複数の同期データのうちの互いに隣接する同期データの間には、前記複数のシンボルのうちの少なくとも二つが配列されており、
　前記再生装置は、
　前記記録媒体から前記複数の同期データと前記符号化データとを読み取る読み取り部と、
　前記複数の同期データの状態を検出し、前記検出結果を示す同期検出情報を生成する同期検出情報生成部と、
　前記同期検出情報に基づいて前記符号化データの消失位置を示す消失位置情報を生成する消失位置情報生成部と、
　前記消失位置情報に基づいて前記符号化データの消失誤り訂正を行う消失誤り訂正部と
　を備え、
　前記同期検出情報が、検出された同期データに隣接している同期データが検出されなかったことを示す場合には、前記消失位置情報生成部は、前記検出された同期データと前記検出されなかった同期データとの間に配列された少なくとも二つのシンボルのうちの前記検出されなかった同期データに隣接して配列された少なくとも一つのシンボルを消失と判定し、前記検出された同期データに隣接して配列された少なくとも一つのシンボルを消失ではないと判定する、再生装置。
【請求項４５】
　前記同期検出情報が、互いに隣接した二つの同期データのうちの両方が検出されなかったことを示す場合には、前記消失位置情報生成部は、前記検出されなかった二つの同期データの間に配列された全てのシンボルを消失と判定する、請求項４４に記載の再生装置。
【請求項４６】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生装置は、
　前記記録媒体から前記複合符号化データを読み取り、前記第１符号化データと前記第２符号化データと前記複数の同期データとを出力する読み取り部と、
　前記複数の同期データの状態を検出し、前記検出結果を示す同期検出情報を生成する同期検出情報生成部と、
　前記第１符号化データの誤り訂正を行い、前記第１符号化データの誤り位置を示す誤り位置情報を生成する誤り位置情報生成部と、
　前記誤り位置情報と前記同期検出情報とに基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記同期検出情報が、検出されなかった同期データが存在することを示し、前記誤り位置情報が、前記検出されなかった同期データの両側のそれぞれに隣接する第１シンボルに誤りが検出されなかったことを示す場合には、前記消失位置情報生成部は、前記検出されなかった同期データに隣接して配列された複数の第２シンボルのうちの少なくとも一つを消失と判定する、再生装置。
【請求項４７】
　前記複数の同期データのうちの互いに隣接する同期データの間には、少なくとも二つの第１シンボルが配列されており、
　前記少なくとも二つの第１シンボルのうちの互いに隣接する第１シンボルの間には、少なくとも一つの第２シンボルが配列されており、
　前記誤り位置情報が、誤りが検出された第１シンボルが存在することを示し、前記誤り位置情報と前記同期検出情報との少なくとも一方が、前記誤りが検出された第１シンボルの両側のそれぞれには検出された同期データと誤りが検出されなかった第１シンボルとの一方が隣接していることを示す場合には、前記消失位置情報生成部は、前記誤りが検出された第１シンボルに隣接して配列された複数の第２シンボルのうちの少なくとも一つを消失と判定する、請求項４６に記載の再生装置。
【請求項４８】
　複数の同期データと誤り訂正符号化された符号化データとが記録された記録媒体から前記符号化データを再生する再生装置であって、
　前記符号化データは複数のシンボルを含み、
　前記複数の同期データのうちの互いに隣接する同期データの間には、前記複数のシンボルのうちの少なくとも一つが配列されており、
　前記複数の同期データは、Ｎ（Ｎは整数）番目の同期データと、Ｎ＋１番目の同期データとを含み、
　前記再生装置は、
　前記記録媒体から前記複数の同期データと前記符号化データとを読み取る読み取り部と、
　前記複数の同期データの状態を検出し、前記検出結果を示す同期検出情報を生成する同期検出情報生成部と、
　前記同期検出情報に基づいて前記符号化データの消失位置を示す消失位置情報を生成する消失位置情報生成部と、
　前記消失位置情報に基づいて前記符号化データの消失誤り訂正を行う消失誤り訂正部と
　を備え、
　前記同期検出情報が、前記Ｎ＋１番目の同期データが位置ずれして検出されたことを示す場合には、前記消失位置情報生成部は、前記Ｎ番目の同期データと前記Ｎ＋１番目の同期データとの間に配列された少なくとも一つのシンボルを消失と判定する、再生装置。
【請求項４９】
　前記複数の同期データは、Ｎ＋２番目の同期データを含み、
　前記同期検出情報が、前記Ｎ＋１番目の同期データが位置ずれして検出されたことを示す場合には、前記消失位置情報生成部は、前記Ｎ＋１番目の同期データと前記Ｎ＋２番目の同期データとの間に配列された少なくとも一つのシンボルを消失ではないと判定する、請求項４８に記載の再生装置。
【請求項５０】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記複数の同期データは、Ｎ（Ｎは整数）番目の同期データと、Ｎ＋１番目の同期データとを含み、
　前記再生装置は、
　前記記録媒体から前記複合符号化データを読み取り、前記第１符号化データと前記第２符号化データと前記複数の同期データとを出力する読み取り部と、
　前記複数の同期データの状態を検出し、前記検出結果を示す同期検出情報を生成する同期検出情報生成部と、
　前記第１符号化データの誤り訂正を行い、前記第１符号化データの誤り位置を示す誤り位置情報を生成する誤り位置情報生成部と、
　前記誤り位置情報と前記同期検出情報とに基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記同期検出情報が、前記Ｎ＋１番目の同期データが位置ずれして検出されたことを示す場合には、前記消失位置情報生成部は、前記Ｎ番目の同期データと前記Ｎ＋１番目の同期データとの間に配列された少なくとも一つの第２シンボルを消失と判定する、再生装置。
【請求項５１】
　前記複数の同期データは、Ｎ＋２番目の同期データを含み、
　前記同期検出情報が、前記Ｎ＋１番目の同期データが位置ずれして検出されたことを示す場合には、前記消失位置情報生成部は、前記Ｎ＋１番目の同期データと前記Ｎ＋２番目の同期データとの間に配列された少なくとも一つの第２シンボルを消失ではないと判定する、請求項５０に記載の再生装置。
【請求項５２】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記複数の同期データは、Ｎ（Ｎは整数）番目の同期データと、Ｎ＋１番目の同期データとを含み、
　前記Ｎ番目の同期データと前記Ｎ＋１番目の同期データとの間には所定の第１シンボルが配列されており、
　前記再生装置は、
　前記記録媒体から前記複合符号化データを読み取り、前記第１符号化データと前記第２符号化データと前記複数の同期データとを出力する読み取り部と、
　前記複数の同期データの状態を検出し、前記検出結果を示す同期検出情報を生成する同期検出情報生成部と、
　前記第１符号化データの誤り訂正を行い、前記第１符号化データの誤り位置を示す誤り位置情報を生成する誤り位置情報生成部と、
　前記誤り位置情報と前記同期検出情報とに基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記同期検出情報が、前記Ｎ＋１番目の同期データが位置ずれして検出されたことを示す場合には、前記消失位置情報生成部は、前記所定の第１シンボルと前記Ｎ＋１番目の同期データとの間に配列された少なくとも一つの第２シンボルを消失と判定する、再生装置。
【請求項５３】
　前記複数の同期データは、Ｎ＋２番目の同期データを含み、
　前記Ｎ＋１番目の同期データと前記Ｎ＋２番目の同期データとの間には別の所定の第１シンボルが配列されており、
　前記同期検出情報が、前記Ｎ＋１番目の同期データが位置ずれして検出されたことを示す場合には、前記消失位置情報生成部は、前記Ｎ＋１番目の同期データと前記別の所定の第１シンボルとの間に配列された少なくとも一つの第２シンボルを消失ではないと判定する、請求項５２に記載の再生装置。
【請求項５４】
　複数の同期データと誤り訂正符号化された符号化データとが記録された記録媒体から前記符号化データを再生する再生装置であって、
　前記符号化データは複数のシンボルを含み、
　前記複数の同期データのうちの互いに隣接する同期データの間には、前記複数のシンボルのうちの少なくとも一つが配列されており、
　前記再生装置は、
　前記記録媒体から前記複数の同期データと前記符号化データとを読み取る読み取り部と、
　前記複数の同期データの状態を検出し、前記検出結果を示す同期検出情報を生成する同期検出情報生成部と、
　前記同期検出情報に基づいて前記符号化データの消失位置を示す消失位置情報を生成する消失位置情報生成部と、
　前記消失位置情報に基づいて前記符号化データの消失誤り訂正を行う消失誤り訂正部と
　を備え、
　前記同期検出情報が、検出されなかった同期データと位置ずれして検出された同期データとの少なくとも一方が連続して存在することを示す場合には、前記消失位置情報生成部は、前記連続する同期データの間に配列された少なくとも一つのシンボルを消失と判定する、再生装置。
【請求項５５】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生装置は、
　前記記録媒体から前記複合符号化データを読み取り、前記第１符号化データと前記第２符号化データと前記複数の同期データとを出力する読み取り部と、
　前記複数の同期データの状態を検出し、前記検出結果を示す同期検出情報を生成する同期検出情報生成部と、
　前記第１符号化データの誤り訂正を行い、前記第１符号化データの誤り位置を示す誤り位置情報を生成する誤り位置情報生成部と、
　前記誤り位置情報と前記同期検出情報とに基づいて前記第２符号化データの消失位置を示す消失位置情報を生成する消失位置情報生成部と、
　前記消失位置情報に基づいて前記第２符号化データの消失誤り訂正を行う消失誤り訂正部と
　を備え、
　前記同期検出情報が、検出されなかった同期データと位置ずれして検出された同期データとの少なくとも一方が連続して存在することを示す場合には、前記消失位置情報生成部は、前記連続する同期データの間に配列された少なくとも一つの第２シンボルを消失と判定する、再生装置。
【請求項５６】
　前記消失位置情報生成部は、前記連続する同期データの間に配列された少なくとも一つの第１シンボルを消失と判定する、請求項５５に記載の再生装置。
【請求項５７】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データとを含み、
　前記第１符号化データは複数の第１シンボルを含み、
　前記第２符号化データは複数の第２シンボルを含み、
　前記複数の第１シンボルのうちの互いに隣接する第１シンボルの間には、前記複数の第２シンボルのうちの少なくとも一つが配列されており、
　前記再生装置は、
　前記記録媒体から前記複合符号化データを読み取り、前記第１符号化データと前記第２符号化データとを出力する読み取り部と、
　前記第１符号化データの誤り訂正を行い、前記第１符号化データの誤り位置を示す誤り位置情報を生成する誤り位置情報生成部と、
　前記誤り位置情報に基づいて、前記第２符号化データの消失位置を示す第１の消失位置情報と第２の消失位置情報とを少なくとも生成する消失位置情報生成部と、
　前記第１の消失位置情報と前記第２の消失位置情報との少なくとも一方に基づいて、前記第２符号化データの消失誤り訂正を行う消失誤り訂正部と
　を備え、
　前記消失誤り訂正部は、前記第１の消失位置情報に基づいて訂正できなかった誤りが存在する場合には、前記第２の消失位置情報に基づいて前記第２符号化データの消失誤り訂正を行う、再生装置。
【請求項５８】
　前記第１の消失位置情報に基づいて全ての誤りが訂正できた場合には、前記消失位置情報生成部は、前記第１の消失位置情報の生成時と同じ方法を用いて、別の第２符号化データの消失誤り訂正のための消失位置情報を生成し、
　前記第２の消失位置情報に基づいて全ての誤りが訂正できた場合には、前記消失位置情報生成部は、前記第２の消失位置情報の生成時と同じ方法を用いて、別の第２符号化データの消失誤り訂正のための消失位置情報を生成する、請求項５７に記載の再生装置。
【請求項５９】
　前記複数の第１シンボルは、Ｎ（Ｎは整数）番目の第１シンボルと、Ｎ＋１番目の第１シンボルと、Ｎ＋２番目の第１シンボルとを含み、
　前記誤り位置情報が、前記Ｎ番目の第１シンボルと前記Ｎ＋２番目の第１シンボルとには誤りが検出されず、前記Ｎ＋１番目の第１シンボルに誤りが検出されたことを示す場合には、前記消失位置情報生成部は、前記Ｎ＋１番目の第１シンボルに隣接して配列された複数の第２シンボルのうちの少なくとも一つを消失と判定する、請求項５７に記載の再生装置。
【請求項６０】
　複数の同期データと誤り訂正符号化された符号化データとが記録された記録媒体から前記符号化データを再生する再生装置であって、
　前記符号化データは複数のシンボルを含み、
　前記複数の同期データのうちの互いに隣接する同期データの間には、前記複数のシンボルのうちの少なくとも一つが配列されており、
　前記再生装置は、
　前記記録媒体から前記複数の同期データと前記符号化データとを読み取る読み取り部と、
　前記複数の同期データの状態を検出し、前記検出結果を示す同期検出情報を生成する同期検出情報生成部と、
　前記同期検出情報に基づいて前記符号化データの消失位置を示す第１の消失位置情報と第２の消失位置情報とを少なくとも生成する消失位置情報生成部と、
　前記第１の消失位置情報と前記第２の消失位置情報との少なくとも一方に基づいて前記符号化データの消失誤り訂正を行う消失誤り訂正部と
　を備え、
　前記消失誤り訂正部は、前記第１の消失位置情報に基づいて訂正できなかった誤りが存在する場合には、前記第２の消失位置情報に基づいて前記符号化データの消失誤り訂正を行う、再生装置。
【請求項６１】
　前記第１の消失位置情報に基づいて全ての誤りが訂正できた場合には、前記消失位置情報生成部は、前記第１の消失位置情報の生成時と同じ方法を用いて、別の符号化データの消失誤り訂正のための消失位置情報を生成し、
　前記第２の消失位置情報に基づいて全ての誤りが訂正できた場合には、前記消失位置情報生成部は、前記第２の消失位置情報の生成時と同じ方法を用いて、別の符号化データの消失誤り訂正のための消失位置情報を生成する、請求項６０に記載の再生装置。
【請求項６２】
　前記複数の同期データは、Ｎ（Ｎは整数）番目の同期データと、Ｎ＋１番目の同期データと、Ｎ＋２番目の同期データとを含み、
　前記同期検出情報が、前記Ｎ番目の同期データと前記Ｎ＋２番目の同期データとは検出され、前記Ｎ＋１番目の同期データは検出されなかったことを示す場合には、前記消失位置情報生成部は、前記Ｎ＋１番目の同期データに隣接して配列された複数のシンボルのうちの少なくとも一つを消失と判定する、請求項６０に記載の再生装置。
【請求項６３】
　前記複数の同期データは、Ｎ（Ｎは整数）番目の同期データと、Ｎ＋１番目の同期データとを含み、
　前記同期検出情報が、前記Ｎ＋１番目の同期データが位置ずれして検出されたことを示す場合には、前記消失位置情報生成部は、前記Ｎ番目の同期データと前記Ｎ＋１番目の同期データとの間に配列された少なくとも一つのシンボルを消失と判定する、請求項６０に記載の再生装置。
【請求項６４】
　前記同期検出情報が、検出されなかった同期データと位置ずれして検出された同期データとの少なくとも一方が連続して存在することを示す場合には、前記消失位置情報生成部は、前記連続する同期データの間に配列された少なくとも一つのシンボルを消失と判定する、請求項６０に記載の再生装置。
【請求項６５】
　複合符号化データが記録された記録媒体から前記複合符号化データを再生する再生装置であって、
　前記複合符号化データは、第１誤り訂正符号を用いて誤り訂正符号化された第１符号化データと、前記第１誤り訂正符号よりも冗長度の低い第２誤り訂正符号を用いて誤り訂正符号化された第２符号化データと、複数の同期データとを含み、
　前記第１符号化データは複数の第１シンボルを含み、
　前記第２符号化データは複数の第２シンボルを含み、
　前記複数の同期データのうちの互いに隣接する同期データの間には、少なくとも一つの第１シンボルが配列されており、
　少なくとも同期データと第１シンボルとの間には、前記複数の第２シンボルのうちの少なくとも一つが配列されており、
　前記再生装置は、
　前記記録媒体から前記複合符号化データを読み取り、前記第１符号化データと前記第２符号化データと前記複数の同期データとを出力する読み取り部と、
　前記複数の同期データの状態を検出し、前記検出結果を示す同期検出情報を生成する同期検出情報生成部と、
　前記第１符号化データの誤り訂正を行い、前記第１符号化データの誤り位置を示す誤り位置情報を生成する誤り位置情報生成部と、
　前記誤り位置情報と前記同期検出情報とに基づいて、前記第２符号化データの消失位置を示す第１の消失位置情報と第２の消失位置情報とを少なくとも生成する消失位置情報生成部と、
　前記第１の消失位置情報と前記第２の消失位置情報との少なくとも一方に基づいて前記第２符号化データの消失誤り訂正を行う消失誤り訂正部と
　を備え、
　前記消失誤り訂正部は、前記第１の消失位置情報に基づいて訂正できなかった誤りが存在する場合には、前記第２の消失位置情報に基づいて前記第２符号化データの消失誤り訂正を行う、再生装置。
【請求項６６】
　前記第１の消失位置情報に基づいて全ての誤りが訂正できた場合には、前記消失位置情報生成部は、前記第１の消失位置情報の生成時と同じ方法を用いて、別の第２符号化データの消失誤り訂正のための消失位置情報を生成し、
　前記第２の消失位置情報に基づいて全ての誤りが訂正できた場合には、前記消失位置情報生成部は、前記第２の消失位置情報の生成時と同じ方法を用いて、別の第２符号化データの消失誤り訂正のための消失位置情報を生成する、請求項６５に記載の再生装置。
【請求項６７】
　前記同期検出情報が、検出されなかった同期データが存在することを示し、前記誤り位置情報が、前記検出されなかった同期データの両側のそれぞれに隣接する第１シンボルに誤りが検出されなかったことを示す場合には、前記消失位置情報生成部は、前記検出されなかった同期データに隣接して配列された複数の第２シンボルのうちの少なくとも一つを消失と判定する、請求項６５に記載の再生装置。
【請求項６８】
　前記複数の同期データのうちの互いに隣接する同期データの間には、少なくとも二つの第１シンボルが配列されており、
　前記少なくとも二つの第１シンボルのうちの互いに隣接する第１シンボルの間には、少なくとも一つの第２シンボルが配列されており、
　前記誤り位置情報が、誤りが検出された第１シンボルが存在することを示し、前記誤り位置情報と前記同期検出情報との少なくとも一方が、前記誤りが検出された第１シンボルの両側のそれぞれには検出された同期データと誤りが検出されなかった第１シンボルとの一方が隣接していることを示す場合には、前記消失位置情報生成部は、前記誤りが検出された第１シンボルに隣接して配列された複数の第２シンボルのうちの少なくとも一つを消失と判定する請求項６５に記載の再生装置。
【請求項６９】
　前記複数の同期データは、Ｎ（Ｎは整数）番目の同期データと、Ｎ＋１番目の同期データとを含み、
　前記同期検出情報が、前記Ｎ＋１番目の同期データが位置ずれして検出されたことを示す場合には、前記消失位置情報生成部は、前記Ｎ番目の同期データと前記Ｎ＋１番目の同期データとの間に配列された少なくとも一つの第２シンボルを消失と判定する、請求項６５に記載の再生装置。
【請求項７０】
　前記同期検出情報が、検出されなかった同期データと位置ずれして検出された同期データとの少なくとも一方が連続して存在することを示す場合には、前記消失位置情報生成部は、前記連続する同期データの間に配列された少なくとも一つの第２シンボルを消失と判定する、請求項６５に記載の再生装置。
【発明の詳細な説明】
【技術分野】
【０００１】
　本発明は、第１誤り訂正符号を用いて誤り訂正符号化された第１符号化データを構成する第１シンボルの間、またはデータの同期をとるための同期データの間、または第１シンボルと同期データとの間に、第１誤り訂正符号より冗長度の低い第２誤り訂正符号を用いて誤り訂正符号化された第２符号化データを構成する少なくとも１つの第２シンボルが配列された複合符号化データの誤り訂正方法および再生装置に関する。
【背景技術】
【０００２】
　記録媒体の代表的なものである光ディスクなどは、近年、高密度化、大容量化が進んでおり、信頼性を確保することが重要な課題となっている。そこで、記録媒体の欠陥や記録媒体上に付着した埃や傷に起因するエラーを訂正する様々な誤り訂正方法が考えられている（例えば、特許文献１および２参照）。
【特許文献１】米国特許第６３６７０４９Ｂ１号明細書（第５−６頁、第５図）
【特許文献２】特表２００１−５１５６４２号公報（第１０−１１頁、第２図）
【発明の開示】
【発明が解決しようとする課題】
【０００３】
　図２に、複合符号化データの一例として複合符号化データ２０３を示す。図２は、第１符号化データ２０１と第２符号化データ２０２とをさらに示す。図２を参照して誤り訂正方法について説明する。
【０００４】
　複合符号化データ２０３は、第１誤り訂正符号を用いて誤り訂正符号化された第１符号化データ２０６、２０７、２０８、２０９、２１０および２１１と、第１誤り訂正符号よりも冗長度の低い第２誤り訂正符号を用いて誤り訂正符号化された第２符号化データ２１２、２１３、２１４、２１５、２１６、２１７、２１８および２１９と、第１符号化データおよび第２符号化データの同期をとるための同期データ２０４、２０５とを含む。
【０００５】
　第１符号化データ２０１は、２４個の第１誤り訂正符号を用いて誤り訂正符号化されている。第２符号化データ２０２は、３０４個の第２誤り訂正符号を用いて誤り訂正符号化されている。第１符号化データ２０６〜２１１のそれぞれは、第１符号化データ２０１を複数に分割することにより得られるデータである。第２符号化データ２１２〜２１９のそれぞれは、第２符号化データ２０２を複数に分割することにより得られるデータである。第１符号化データ２０６〜２１１は複数の第１シンボルを含み、第２符号化データ２１２〜２１９は複数の第２シンボルを含む。
【０００６】
　複数の同期データのなかで互いに隣接する同期データの間には、複数の第１符号化データのうちの少なくとも一つが配列される。例えば、図２に示すように、互いに隣接する同期データ２０４、２０５の間には、第１シンボルを含む第１符号化データ２０６〜２０８が配列されている。これにより、互いに隣接する同期データの間には、少なくとも一つの第１シンボルが配列される。
【０００７】
　互いに隣接する同期データと第１符号化データとの間には少なくとも一つの第２符号化データが配列される。また、互いに隣接する二つの第１符号化データの間には、少なくとも一つの第２符号化データが配列される。例えば、図２に示すように、同期データ２０４と第１符号化データ２０６との間には第２符号化データ２１２が配列され、第１符号化データ２０６と第１符号化データ２０７との間には、第２符号化データ２１３が配列されている。これにより、同期データと第１シンボルとの間、および第１シンボルと第１シンボルとの間には、少なくとも一つの第２シンボルが配列される。図２では、記録方向２２０に沿って互いに隣接した二つの第１シンボルの間には３８個の第２シンボルが配列されている。また、記録方向２２０に沿って互いに隣接した同期データと第１シンボルとの間には３８個の第２シンボルが配列されている。
【０００８】
　なお、記録媒体上での局所的なエラー領域が、複合符号化データ２０３の構成上では分散するように、第１符号化データ２０１と第２符号化データ２０２とは、それぞれ第１符号化データ２０６〜２１１と第２符号化データ２１２〜２１９とに分割されて配列される（以下、このようにデータを分散して配列する処理をインターリーブと呼ぶ。）。
【０００９】
　記録媒体には、上述した複合符号化データ２０３が、記録方向２２０に沿って順に記録される。
【００１０】
　第１誤り訂正符号は、符号長６２バイト、情報数３０バイト、パリティ３２バイトを有する素体ＧＦ（２）に原始多項式（数１）の根αを付加した拡大体上でのリードソロモン符号であり、第２誤り訂正符号は、符号長２４８バイト、情報数２１６バイト、パリティ３２バイトを有する素体ＧＦ（２）に原始多項式（数１）の根αを付加した拡大体上でのリードソロモン符号である。
【００１１】
【数１】
2004140816.tif 000003
　図３に、複合符号化データ２０３の誤り訂正方法を示すフローチャート３０を示す。
【００１２】
　ステップ３０１で、第１符号化データ２０１を誤り訂正する。このとき、第１符号化データ２０１はインターリーブの逆変換であるデインターリーブが施されている。
【００１３】
　ステップ３０２で、第２符号化データ２０２のうちの消失位置を示す消失位置情報を生成する。消失位置情報の生成方法として、例えば、以下の３つの方法がある。
【００１４】
　図４〜図６は、第２符号化データが消失と判定される場合の同期データまたは第１シンボルの状態を表す図である。図４〜図６中の×は同期データが検出できなかった、または第１シンボルが誤っていたことを表し、○は同期データが検出できた、または第１シンボルが正しかったことを表す。図４〜図６に示す各データは、行列状に構成された複合符号化データ２０３のうちの記録方向に沿った１行分のデータの一部（または複数行分のデータの一部）を示す。
【００１５】
　第１の方法は、図４に示すように、記録方向４０４に沿って隣接した同期データ４０１および４０２（同期データ４０１および４０２は、第１シンボルであってもよい）の検出状態が、両方×であった場合、その間の第２符号化データ４０３を消失と判定し、判定結果を示す消失位置情報を生成する方法である。
【００１６】
　第２の方法は、図５に示すように、記録方向５０６に沿って連続した３つの同期データ５０１〜５０３（同期データ５０１〜５０３は第１シンボルであってもよい）の状態が、×○×であった場合、同期データ５０１〜５０３の間の第２符号化データ５０４および５０５を消失と判定し、判定結果を示す消失位置情報を生成する方法である。
【００１７】
　第３の方法は、図６に示すように、記録方向６１０に沿って隣接する同期データ６０１および６０５（同期データ６０１および６０５は第１シンボルであってもよい）の間で、３以上連続している第１シンボル６０２〜６０４の状態が×であった場合、第１シンボル６０２と同期データ６０１（状態が○）との間に配列された第２符号化データ６０６と、第１シンボル６０４と同期データ６０５（状態が○）との間に配列された第２符号化データ６０９とを含めた第２符号化データ６０６〜６０９を消失と判定し、判定結果を示す消失位置情報を生成する方法である。
【００１８】
　ステップ３０３（図３）で、ステップ３０２で生成した消失位置情報を用いて、第２符号化データを（数２）に示す範囲内で消失誤り訂正する。
【００１９】
【数２】
2004140816.tif 000004
　ここで、εは消失位置の数で、νは消失以外の誤りの数である。
【００２０】
　しかしながら、上記の消失位置を生成する方法では、第２符号化データが訂正不能となる場合がある。図７は第２符号化データが訂正不能となる誤りパターンの一例を示す。図７は複合符号化データ２０３の一部を拡大して示した図である。
【００２１】
　データ７０１〜７０３は、第１符号化データまたは同期データである。データ７０４〜７０９はデータ７０２の近傍に配列された第２符号化データの部分データである。図７中の○および×のそれぞれの位置には、同期データの部分同期データ、第１シンボルおよび第２シンボルの何れかが配列されている。データ７０１〜７０３において×は同期データが検出できなかった、または第１シンボルが誤っていたことを表し、○は同期データが検出できた、または第１シンボルが正しかったことを表す。データ７０４〜７０９において、×は読取られた第２シンボルが誤っていることを表し、その他の部分は読取られた第２シンボルが正しいことを表す。
【００２２】
　図７のような誤りが発生したとする。上記の消失位置情報を生成する方法では、誤りである第２シンボルは全て消失と判定されない。第２符号化データを（数２）に示す範囲内で消失誤り訂正するので、消失でない誤りは１６個までしか訂正できない。このため、図７のようなパターンの誤りは訂正できない。
【００２３】
　また、上記の消失位置情報を生成する方法では、消失位置情報を生成する際に用いる同期データの状態判定結果は、検出できたおよびできなかった場合の２つである。同期データがずれて検出された場合は、ずれて検出された同期データより前に位置するシンボルは誤っている可能性が高く、ずれて検出された同期データより後に位置するシンボルは正しく再生される可能性が高い。これは、同期のずれは再生装置によって修正され、後に位置するシンボルは同期の修正後に読み出すからである。
【００２４】
　同期データの状態判定結果が、検出できたおよびできなかった場合の２つである場合には、ずれて検出された同期データが検出できたと判定されると、ずれて検出された同期データより前に位置するシンボルが誤っているのにもかかわらず消失と判定されず、誤っているシンボルが訂正されない場合がある。また、ずれて検出された同期データが検出できなかったと判定されると、ずれて検出された同期データより後に位置する正しいシンボルも消失と判定され、消失位置の数が増加し、訂正不能となる場合がある。
【００２５】
　本発明は上記の問題を鑑み、第１符号化データを誤り訂正した結果または同期データの検出結果を用いて消失位置情報を生成し、消失位置情報を用いて第２符号化データの消失誤り訂正を行うのに有効な誤り訂正方法および誤り訂正方法を実行する再生装置を提供することを目的とする。
【課題を解決するための手段】
【００２６】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも一つが配列されており、上記複数の第１シンボルは、Ｎ（Ｎは整数）番目の第１シンボルと、Ｎ＋１番目の第１シンボルと、Ｎ＋２番目の第１シンボルとを含み、上記再生方法は、上記記録媒体から上記複合符号化データを読み取り、上記第１符号化データと上記第２符号化データとを出力する読み取りステップと、上記第１符号化データの誤り訂正を行い、上記第１符号化データの誤り位置を示す誤り位置情報を生成する誤り位置情報生成ステップと、上記誤り位置情報に基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、上記Ｎ番目の第１シンボルと上記Ｎ＋２番目の第１シンボルとには誤りが検出されず、上記Ｎ＋１番目の第１シンボルに誤りが検出されたことを上記誤り位置情報が示す場合には、上記Ｎ＋１番目の第１シンボルに隣接して配列された複数の第２シンボルのうちの少なくとも一つを消失と判定するステップを含み、そのことにより上記目的が達成される。
【００２７】
　上記消失位置情報生成ステップは、上記Ｎ番目の第１シンボルと上記Ｎ＋２番目の第１シンボルとには誤りが検出されず、上記Ｎ＋１番目の第１シンボルに誤りが検出されたことを上記誤り位置情報が示す場合には、上記Ｎ番目の第１シンボルと上記Ｎ＋１番目の第１シンボルとの間に配列された少なくとも一つの第２シンボルのうちの上記Ｎ＋１番目の第１シンボルに隣接して配列された少なくとも一つの第２シンボルを消失と判定し、上記Ｎ＋１番目の第１シンボルと上記Ｎ＋２番目の第１シンボルとの間に配列された少なくとも一つの第２シンボルのうちの上記Ｎ＋１番目の第１シンボルに隣接して配列された少なくとも一つの第２シンボルを消失と判定するステップをさらに含んでもよい。
【００２８】
　上記消失位置情報生成ステップは、互いに隣接した二つの第１シンボルのうちの両方に誤りが検出されたことを上記誤り位置情報が示す場合には、上記誤りが検出された二つの第１シンボルの間に配列された全ての第２シンボルを消失と判定するステップをさらに含んでもよい。
【００２９】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも二つが配列されており、上記再生方法は、上記記録媒体から上記複合符号化データを読み取り、上記第１符号化データと上記第２符号化データとを出力する読み取りステップと、上記第１符号化データの誤り訂正を行い、上記第１符号化データの誤り位置を示す誤り位置情報を生成する誤り位置情報生成ステップと、上記誤り位置情報に基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、誤りが検出されなかった第１シンボルと誤りが検出された第１シンボルとが隣接していることを上記誤り位置情報が示す場合には、上記誤りが検出されなかった第１シンボルと上記誤りが検出された第１シンボルとの間に配列された少なくとも二つの第２シンボルのうちの上記誤りが検出された第１シンボルに隣接して配列された少なくとも一つの第２シンボルを消失と判定し、上記誤りが検出されなかった第１シンボルに隣接して配列された少なくとも一つの第２シンボルを消失ではないと判定するステップを含み、そのことにより上記目的が達成される。
【００３０】
　上記消失位置情報生成ステップは、互いに隣接した二つの第１シンボルのうちの両方に誤りが検出されたことを上記誤り位置情報が示す場合には、上記誤りが検出された二つの第１シンボルの間に配列された全ての第２シンボルを消失と判定するステップをさらに含んでもよい。
【００３１】
　本発明の再生方法は、複数の同期データと誤り訂正符号化された符号化データとが記録された記録媒体から上記符号化データを再生する再生方法であって、上記符号化データは複数のシンボルを含み、上記複数の同期データのうちの互いに隣接する同期データの間には、上記複数のシンボルのうちの少なくとも一つが配列されており、上記複数の同期データは、Ｎ（Ｎは整数）番目の同期データと、Ｎ＋１番目の同期データと、Ｎ＋２番目の同期データとを含み、上記再生方法は、上記記録媒体から上記複数の同期データと上記符号化データとを読み取る読み取りステップと、上記複数の同期データの状態を検出し、上記検出結果を示す同期検出情報を生成する同期検出情報生成ステップと、上記同期検出情報に基づいて上記符号化データの消失位置を示す消失位置情報を生成する消失位置情報生成ステップと、上記消失位置情報に基づいて上記符号化データの消失誤り訂正を行う消失誤り訂正ステップとを包含し、上記消失位置情報生成ステップは、上記Ｎ番目の同期データと上記Ｎ＋２番目の同期データとは検出され、上記Ｎ＋１番目の同期データは検出されなかったことを上記同期検出情報が示す場合には、上記Ｎ＋１番目の同期データに隣接して配列された複数のシンボルのうちの少なくとも一つを消失と判定するステップを含み、そのことにより上記目的が達成される。
【００３２】
　上記消失位置情報生成ステップは、上記Ｎ番目の同期データと上記Ｎ＋２番目の同期データとは検出され、上記Ｎ＋１番目の同期データは検出されなかったことを上記同期検出情報が示す場合には、上記Ｎ番目の同期データと上記Ｎ＋１番目の同期データとの間に配列された少なくとも一つのシンボルのうちの上記Ｎ＋１番目の同期データに隣接して配列された少なくとも一つのシンボルを消失と判定し、上記Ｎ＋１番目の同期データと上記Ｎ＋２番目の同期データとの間に配列された少なくとも一つのシンボルのうちの上記Ｎ＋１番目の同期データに隣接して配列された少なくとも一つのシンボルを消失と判定するステップをさらに含んでもよい。
【００３３】
　上記消失位置情報生成ステップは、互いに隣接した二つの同期データのうちの両方が検出されなかったことを上記同期検出情報が示す場合には、上記検出されなかった二つの同期データの間に配列された全てのシンボルを消失と判定するステップをさらに含んでもよい。
【００３４】
　本発明の再生方法は、複数の同期データと誤り訂正符号化された符号化データとが記録された記録媒体から上記符号化データを再生する再生方法であって、上記符号化データは複数のシンボルを含み、上記複数の同期データのうちの互いに隣接する同期データの間には、上記複数のシンボルのうちの少なくとも二つが配列されており、上記再生方法は、上記記録媒体から上記複数の同期データと上記符号化データとを読み取る読み取りステップと、上記複数の同期データの状態を検出し、上記検出結果を示す同期検出情報を生成する同期検出情報生成ステップと、上記同期検出情報に基づいて上記符号化データの消失位置を示す消失位置情報を生成する消失位置情報生成ステップと、上記消失位置情報に基づいて上記符号化データの消失誤り訂正を行う消失誤り訂正ステップとを包含し、上記消失位置情報生成ステップは、検出された同期データに隣接している同期データが検出されなかったことを上記同期検出情報が示す場合には、上記検出された同期データと上記検出されなかった同期データとの間に配列された少なくとも二つのシンボルのうちの上記検出されなかった同期データに隣接して配列された少なくとも一つのシンボルを消失と判定し、上記検出された同期データに隣接して配列された少なくとも一つのシンボルを消失ではないと判定するステップを含み、そのことにより上記目的が達成される。
【００３５】
　上記消失位置情報生成ステップは、互いに隣接した二つの同期データのうちの両方が検出されなかったことを上記同期検出情報が示す場合には、上記検出されなかった二つの同期データの間に配列された全てのシンボルを消失と判定するステップをさらに含んでもよい。
【００３６】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生方法は、上記記録媒体から上記複合符号化データを読み取り、上記第１符号化データと上記第２符号化データと上記複数の同期データとを出力する読み取りステップと、上記複数の同期データの状態を検出し、上記検出結果を示す同期検出情報を生成する同期検出情報生成ステップと、上記第１符号化データの誤り訂正を行い、上記第１符号化データの誤り位置を示す誤り位置情報を生成する誤り位置情報生成ステップと、上記誤り位置情報と上記同期検出情報とに基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、検出されなかった同期データが存在することを上記同期検出情報が示し、上記検出されなかった同期データの両側のそれぞれに隣接する第１シンボルに誤りが検出されなかったことを上記誤り位置情報が示す場合には、上記検出されなかった同期データに隣接して配列された複数の第２シンボルのうちの少なくとも一つを消失と判定するステップを含み、そのことにより上記目的が達成される。
【００３７】
　上記複数の同期データのうちの互いに隣接する同期データの間には、少なくとも二つの第１シンボルが配列されており、上記少なくとも二つの第１シンボルのうちの互いに隣接する第１シンボルの間には、少なくとも一つの第２シンボルが配列されており、上記消失位置情報生成ステップは、誤りが検出された第１シンボルが存在することを上記誤り位置情報が示し、上記誤りが検出された第１シンボルの両側のそれぞれには検出された同期データと誤りが検出されなかった第１シンボルとの一方が隣接していることを上記誤り位置情報と上記同期検出情報との少なくとも一方が示す場合には、上記誤りが検出された第１シンボルに隣接して配列された複数の第２シンボルのうちの少なくとも一つを消失と判定するステップをさらに含んでもよい。
【００３８】
　本発明の再生方法は、複数の同期データと誤り訂正符号化された符号化データとが記録された記録媒体から上記符号化データを再生する再生方法であって、上記符号化データは複数のシンボルを含み、上記複数の同期データのうちの互いに隣接する同期データの間には、上記複数のシンボルのうちの少なくとも一つが配列されており、上記複数の同期データは、Ｎ（Ｎは整数）番目の同期データと、Ｎ＋１番目の同期データとを含み、上記再生方法は、上記記録媒体から上記複数の同期データと上記符号化データとを読み取る読み取りステップと、上記複数の同期データの状態を検出し、上記検出結果を示す同期検出情報を生成する同期検出情報生成ステップと、上記同期検出情報に基づいて上記符号化データの消失位置を示す消失位置情報を生成する消失位置情報生成ステップと、上記消失位置情報に基づいて上記符号化データの消失誤り訂正を行う消失誤り訂正ステップとを包含し、上記消失位置情報生成ステップは、上記Ｎ＋１番目の同期データが位置ずれして検出されたことを上記同期検出情報が示す場合には、上記Ｎ番目の同期データと上記Ｎ＋１番目の同期データとの間に配列された少なくとも一つのシンボルを消失と判定するステップを含み、そのことにより上記目的が達成される。
【００３９】
　上記複数の同期データは、Ｎ＋２番目の同期データを含み、上記消失位置情報生成ステップは、上記Ｎ＋１番目の同期データが位置ずれして検出されたことを上記同期検出情報が示す場合には、上記Ｎ＋１番目の同期データと上記Ｎ＋２番目の同期データとの間に配列された少なくとも一つのシンボルを消失ではないと判定するステップをさらに含んでもよい。
【００４０】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記複数の同期データは、Ｎ（Ｎは整数）番目の同期データと、Ｎ＋１番目の同期データとを含み、上記再生方法は、上記記録媒体から上記複合符号化データを読み取り、上記第１符号化データと上記第２符号化データと上記複数の同期データとを出力する読み取りステップと、上記複数の同期データの状態を検出し、上記検出結果を示す同期検出情報を生成する同期検出情報生成ステップと、上記第１符号化データの誤り訂正を行い、上記第１符号化データの誤り位置を示す誤り位置情報を生成する誤り位置情報生成ステップと、上記誤り位置情報と上記同期検出情報とに基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、上記Ｎ＋１番目の同期データが位置ずれして検出されたことを上記同期検出情報が示す場合には、上記Ｎ番目の同期データと上記Ｎ＋１番目の同期データとの間に配列された少なくとも一つの第２シンボルを消失と判定するステップを含み、そのことにより上記目的が達成される。
【００４１】
　上記複数の同期データは、Ｎ＋２番目の同期データを含み、上記消失位置情報生成ステップは、上記Ｎ＋１番目の同期データが位置ずれして検出されたことを上記同期検出情報が示す場合には、上記Ｎ＋１番目の同期データと上記Ｎ＋２番目の同期データとの間に配列された少なくとも一つの第２シンボルを消失ではないと判定するステップをさらに含んでもよい。
【００４２】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記複数の同期データは、Ｎ（Ｎは整数）番目の同期データと、Ｎ＋１番目の同期データとを含み、上記Ｎ番目の同期データと上記Ｎ＋１番目の同期データとの間には所定の第１シンボルが配列されており、上記再生方法は、上記記録媒体から上記複合符号化データを読み取り、上記第１符号化データと上記第２符号化データと上記複数の同期データとを出力する読み取りステップと、上記複数の同期データの状態を検出し、上記検出結果を示す同期検出情報を生成する同期検出情報生成ステップと、上記第１符号化データの誤り訂正を行い、上記第１符号化データの誤り位置を示す誤り位置情報を生成する誤り位置情報生成ステップと、上記誤り位置情報と上記同期検出情報とに基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、上記Ｎ＋１番目の同期データが位置ずれして検出されたことを上記同期検出情報が示す場合には、上記所定の第１シンボルと上記Ｎ＋１番目の同期データとの間に配列された少なくとも一つの第２シンボルを消失と判定するステップを含み、そのことにより上記目的が達成される。
【００４３】
　上記複数の同期データは、Ｎ＋２番目の同期データを含み、上記Ｎ＋１番目の同期データと上記Ｎ＋２番目の同期データとの間には別の所定の第１シンボルが配列されており、上記消失位置情報生成ステップは、上記Ｎ＋１番目の同期データが位置ずれして検出されたことを上記同期検出情報が示す場合には、上記Ｎ＋１番目の同期データと上記別の所定の第１シンボルとの間に配列された少なくとも一つの第２シンボルを消失ではないと判定するステップをさらに含み、そのことにより上記目的が達成される。
【００４４】
　本発明の再生方法は、複数の同期データと誤り訂正符号化された符号化データとが記録された記録媒体から上記符号化データを再生する再生方法であって、上記符号化データは複数のシンボルを含み、上記複数の同期データのうちの互いに隣接する同期データの間には、上記複数のシンボルのうちの少なくとも一つが配列されており、上記再生方法は、上記記録媒体から上記複数の同期データと上記符号化データとを読み取る読み取りステップと、上記複数の同期データの状態を検出し、上記検出結果を示す同期検出情報を生成する同期検出情報生成ステップと、上記同期検出情報に基づいて上記符号化データの消失位置を示す消失位置情報を生成する消失位置情報生成ステップと、上記消失位置情報に基づいて上記符号化データの消失誤り訂正を行う消失誤り訂正ステップとを包含し、上記消失位置情報生成ステップは、検出されなかった同期データと位置ずれして検出された同期データとの少なくとも一方が連続して存在することを上記同期検出情報が示す場合には、上記連続する同期データの間に配列された少なくとも一つのシンボルを消失と判定するステップを含み、そのことにより上記目的が達成される。
【００４５】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生方法は、上記記録媒体から上記複合符号化データを読み取り、上記第１符号化データと上記第２符号化データと上記複数の同期データとを出力する読み取りステップと、上記複数の同期データの状態を検出し、上記検出結果を示す同期検出情報を生成する同期検出情報生成ステップと、上記第１符号化データの誤り訂正を行い、上記第１符号化データの誤り位置を示す誤り位置情報を生成する誤り位置情報生成ステップと、上記誤り位置情報と上記同期検出情報とに基づいて上記第２符号化データの消失位置を示す消失位置情報を生成する消失位置情報生成ステップと、上記消失位置情報に基づいて上記第２符号化データの消失誤り訂正を行う消失誤り訂正ステップとを包含し、上記消失位置情報生成ステップは、検出されなかった同期データと位置ずれして検出された同期データとの少なくとも一方が連続して存在することを上記同期検出情報が示す場合には、上記連続する同期データの間に配列された少なくとも一つの第２シンボルを消失と判定するステップを含み、そのことにより上記目的が達成される。
【００４６】
　上記消失位置情報生成ステップは、上記連続する同期データの間に配列された少なくとも一つの第１シンボルを消失と判定するステップをさらに含んでもよい。
【００４７】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも一つが配列されており、上記再生方法は、上記記録媒体から上記複合符号化データを読み取り、上記第１符号化データと上記第２符号化データとを出力する読み取りステップと、上記第１符号化データの誤り訂正を行い、上記第１符号化データの誤り位置を示す誤り位置情報を生成する誤り位置情報生成ステップと、上記誤り位置情報に基づいて、上記第２符号化データの消失位置を示す第１の消失位置情報と第２の消失位置情報とを少なくとも生成する消失位置情報生成ステップと、上記第１の消失位置情報と上記第２の消失位置情報との少なくとも一方に基づいて、上記第２符号化データの消失誤り訂正を行う消失誤り訂正ステップとを包含し、上記消失誤り訂正ステップは、上記第１の消失位置情報に基づいて訂正できなかった誤りが存在する場合には、上記第２の消失位置情報に基づいて上記第２符号化データの消失誤り訂正を行うステップを含み、そのことにより上記目的が達成される。
【００４８】
　上記消失位置情報生成ステップは、上記第１の消失位置情報に基づいて全ての誤りが訂正できた場合には、上記第１の消失位置情報の生成時と同じ方法を用いて、別の第２符号化データの消失誤り訂正のための消失位置情報を生成するステップと、上記第２の消失位置情報に基づいて全ての誤りが訂正できた場合には、上記第２の消失位置情報の生成時と同じ方法を用いて、別の第２符号化データの消失誤り訂正のための消失位置情報を生成するステップとを含み、そのことにより上記目的が達成される。
【００４９】
　上記複数の第１シンボルは、Ｎ（Ｎは整数）番目の第１シンボルと、Ｎ＋１番目の第１シンボルと、Ｎ＋２番目の第１シンボルとを含み、上記消失位置情報生成ステップは、上記Ｎ番目の第１シンボルと上記Ｎ＋２番目の第１シンボルとには誤りが検出されず、上記Ｎ＋１番目の第１シンボルに誤りが検出されたことを上記誤り位置情報が示す場合には、上記Ｎ＋１番目の第１シンボルに隣接して配列された複数の第２シンボルのうちの少なくとも一つを消失と判定するステップを含んでもよい。
【００５０】
　本発明の再生方法は、複数の同期データと誤り訂正符号化された符号化データとが記録された記録媒体から上記符号化データを再生する再生方法であって、上記符号化データは複数のシンボルを含み、上記複数の同期データのうちの互いに隣接する同期データの間には、上記複数のシンボルのうちの少なくとも一つが配列されており、上記再生方法は、上記記録媒体から上記複数の同期データと上記符号化データとを読み取る読み取りステップと、上記複数の同期データの状態を検出し、上記検出結果を示す同期検出情報を生成する同期検出情報生成ステップと、上記同期検出情報に基づいて上記符号化データの消失位置を示す第１の消失位置情報と第２の消失位置情報とを少なくとも生成する消失位置情報生成ステップと、上記第１の消失位置情報と上記第２の消失位置情報との少なくとも一方に基づいて上記符号化データの消失誤り訂正を行う消失誤り訂正ステップとを包含し、上記消失誤り訂正ステップは、上記第１の消失位置情報に基づいて訂正できなかった誤りが存在する場合には、上記第２の消失位置情報に基づいて上記符号化データの消失誤り訂正を行うステップを含み、そのことにより上記目的が達成される。
【００５１】
　上記消失位置情報生成ステップは、上記第１の消失位置情報に基づいて全ての誤りが訂正できた場合には、上記第１の消失位置情報の生成時と同じ方法を用いて、別の符号化データの消失誤り訂正のための消失位置情報を生成するステップと、上記第２の消失位置情報に基づいて全ての誤りが訂正できた場合には、上記第２の消失位置情報の生成時と同じ方法を用いて、別の符号化データの消失誤り訂正のための消失位置情報を生成するステップとを含んでもよい。
【００５２】
　上記複数の同期データは、Ｎ（Ｎは整数）番目の同期データと、Ｎ＋１番目の同期データと、Ｎ＋２番目の同期データとを含み、上記消失位置情報生成ステップは、上記Ｎ番目の同期データと上記Ｎ＋２番目の同期データとは検出され、上記Ｎ＋１番目の同期データは検出されなかったことを上記同期検出情報が示す場合には、上記Ｎ＋１番目の同期データに隣接して配列された複数のシンボルのうちの少なくとも一つを消失と判定するステップを含んでもよい。
【００５３】
　上記複数の同期データは、Ｎ（Ｎは整数）番目の同期データと、Ｎ＋１番目の同期データとを含み、上記消失位置情報生成ステップは、上記Ｎ＋１番目の同期データが位置ずれして検出されたことを上記同期検出情報が示す場合には、上記Ｎ番目の同期データと上記Ｎ＋１番目の同期データとの間に配列された少なくとも一つのシンボルを消失と判定するステップを含んでもよい。
【００５４】
　上記消失位置情報生成ステップは、検出されなかった同期データと位置ずれして検出された同期データとの少なくとも一方が連続して存在することを上記同期検出情報が示す場合には、上記連続する同期データの間に配列された少なくとも一つのシンボルを消失と判定するステップを含んでもよい。
【００５５】
　本発明の再生方法は、複合符号化データが記録された記録媒体から上記複合符号化データを再生する再生方法であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生方法は、上記記録媒体から上記複合符号化データを読み取り、上記第１符号化データと上記第２符号化データと上記複数の同期データとを出力する読み取りステップと、上記複数の同期データの状態を検出し、上記検出結果を示す同期検出情報を生成する同期検出情報生成ステップと、上記第１符号化データの誤り訂正を行い、上記第１符号化データの誤り位置を示す誤り位置情報を生成する誤り位置情報生成ステップと、上記誤り位置情報と上記同期検出情報とに基づいて、上記第２符号化データの消失位置を示す第１の消失位置情報と第２の消失位置情報とを少なくとも生成する消失位置情報生成ステップと、上記第１の消失位置情報と上記第２の消失位置情報との少なくとも一方に基づいて上記第２符号化データの消失誤り訂正を行う消失誤り訂正ステップとを包含し、上記消失誤り訂正ステップは、上記第１の消失位置情報に基づいて訂正できなかった誤りが存在する場合には、上記第２の消失位置情報に基づいて上記第２符号化データの消失誤り訂正を行うステップを含み、そのことにより上記目的が達成される。
【００５６】
　上記消失位置情報生成ステップは、上記第１の消失位置情報に基づいて全ての誤りが訂正できた場合には、上記第１の消失位置情報の生成時と同じ方法を用いて、別の第２符号化データの消失誤り訂正のための消失位置情報を生成するステップと、上記第２の消失位置情報に基づいて全ての誤りが訂正できた場合には、上記第２の消失位置情報の生成時と同じ方法を用いて、別の第２符号化データの消失誤り訂正のための消失位置情報を生成するステップとを含んでもよい。
【００５７】
　上記消失位置情報生成ステップは、検出されなかった同期データが存在することを上記同期検出情報が示し、上記検出されなかった同期データの両側のそれぞれに隣接する第１シンボルに誤りが検出されなかったことを上記誤り位置情報が示す場合には、上記検出されなかった同期データに隣接して配列された複数の第２シンボルのうちの少なくとも一つを消失と判定するステップを含んでもよい。
【００５８】
　上記複数の同期データのうちの互いに隣接する同期データの間には、少なくとも二つの第１シンボルが配列されており、上記少なくとも二つの第１シンボルのうちの互いに隣接する第１シンボルの間には、少なくとも一つの第２シンボルが配列されており、上記消失位置情報生成ステップは、誤りが検出された第１シンボルが存在することを上記誤り位置情報が示し、上記誤りが検出された第１シンボルの両側のそれぞれには検出された同期データと誤りが検出されなかった第１シンボルとの一方が隣接していることを上記誤り位置情報と上記同期検出情報との少なくとも一方が示す場合には、上記誤りが検出された第１シンボルに隣接して配列された複数の第２シンボルのうちの少なくとも一つを消失と判定するステップを含んでもよい。
【００５９】
　上記複数の同期データは、Ｎ（Ｎは整数）番目の同期データと、Ｎ＋１番目の同期データとを含み、上記消失位置情報生成ステップは、上記Ｎ＋１番目の同期データが位置ずれして検出されたことを上記同期検出情報が示す場合には、上記Ｎ番目の同期データと上記Ｎ＋１番目の同期データとの間に配列された少なくとも一つの第２シンボルを消失と判定するステップを含んでもよい。
【００６０】
　上記消失位置情報生成ステップは、検出されなかった同期データと位置ずれして検出された同期データとの少なくとも一方が連続して存在することを上記同期検出情報が示す場合には、上記連続する同期データの間に配列された少なくとも一つの第２シンボルを消失と判定するステップを含んでもよい。
【００６１】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも一つが配列されており、上記複数の第１シンボルは、Ｎ（Ｎは整数）番目の第１シンボルと、Ｎ＋１番目の第１シンボルと、Ｎ＋２番目の第１シンボルとを含み、上記再生装置は、上記記録媒体から上記複合符号化データを読み取り、上記第１符号化データと上記第２符号化データとを出力する読み取り部と、上記第１符号化データの誤り訂正を行い、上記第１符号化データの誤り位置を示す誤り位置情報を生成する誤り位置情報生成部と、上記誤り位置情報に基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記誤り位置情報が、上記Ｎ番目の第１シンボルと上記Ｎ＋２番目の第１シンボルとには誤りが検出されず、上記Ｎ＋１番目の第１シンボルに誤りが検出されたことを示す場合には、上記消失位置情報生成部は、上記Ｎ＋１番目の第１シンボルに隣接して配列された複数の第２シンボルのうちの少なくとも一つを消失と判定し、そのことにより上記目的が達成される。
【００６２】
　上記誤り位置情報が、上記Ｎ番目の第１シンボルと上記Ｎ＋２番目の第１シンボルとには誤りが検出されず、上記Ｎ＋１番目の第１シンボルに誤りが検出されたことを示す場合には、上記消失位置情報生成部は、上記Ｎ番目の第１シンボルと上記Ｎ＋１番目の第１シンボルとの間に配列された少なくとも一つの第２シンボルのうちの上記Ｎ＋１番目の第１シンボルに隣接して配列された少なくとも一つの第２シンボルを消失と判定し、上記Ｎ＋１番目の第１シンボルと上記Ｎ＋２番目の第１シンボルとの間に配列された少なくとも一つの第２シンボルのうちの上記Ｎ＋１番目の第１シンボルに隣接して配列された少なくとも一つの第２シンボルを消失と判定してもよい。
【００６３】
　上記誤り位置情報が、互いに隣接した二つの第１シンボルのうちの両方に誤りが検出されたことを示す場合には、上記消失位置情報生成部は、上記誤りが検出された二つの第１シンボルの間に配列された全ての第２シンボルを消失と判定してもよい。
【００６４】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも二つが配列されており、上記再生装置は、上記記録媒体から上記複合符号化データを読み取り、上記第１符号化データと上記第２符号化データとを出力する読み取り部と、上記第１符号化データの誤り訂正を行い、上記第１符号化データの誤り位置を示す誤り位置情報を生成する誤り位置情報生成部と、上記誤り位置情報に基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記誤り位置情報が、誤りが検出されなかった第１シンボルと誤りが検出された第１シンボルとが隣接していることを示す場合には、上記消失位置情報生成部は、上記誤りが検出されなかった第１シンボルと上記誤りが検出された第１シンボルとの間に配列された少なくとも二つの第２シンボルのうちの上記誤りが検出された第１シンボルに隣接して配列された少なくとも一つの第２シンボルを消失と判定し、上記誤りが検出されなかった第１シンボルに隣接して配列された少なくとも一つの第２シンボルを消失ではないと判定し、そのことにより上記目的が達成される。
【００６５】
　上記誤り位置情報が、互いに隣接した二つの第１シンボルのうちの両方に誤りが検出されたことを示す場合には、上記消失位置情報生成部は、上記誤りが検出された二つの第１シンボルの間に配列された全ての第２シンボルを消失と判定し、そのことにより上記目的が達成される。
【００６６】
　本発明の再生装置は、複数の同期データと誤り訂正符号化された符号化データとが記録された記録媒体から上記符号化データを再生する再生装置であって、上記符号化データは複数のシンボルを含み、上記複数の同期データのうちの互いに隣接する同期データの間には、上記複数のシンボルのうちの少なくとも一つが配列されており、上記複数の同期データは、Ｎ（Ｎは整数）番目の同期データと、Ｎ＋１番目の同期データと、Ｎ＋２番目の同期データとを含み、上記再生装置は、上記記録媒体から上記複数の同期データと上記符号化データとを読み取る読み取り部と、上記複数の同期データの状態を検出し、上記検出結果を示す同期検出情報を生成する同期検出情報生成部と、上記同期検出情報に基づいて上記符号化データの消失位置を示す消失位置情報を生成する消失位置情報生成部と、上記消失位置情報に基づいて上記符号化データの消失誤り訂正を行う消失誤り訂正部とを備え、上記同期検出情報が、上記Ｎ番目の同期データと上記Ｎ＋２番目の同期データとは検出され、上記Ｎ＋１番目の同期データは検出されなかったことを示す場合には、上記消失位置情報生成部は、上記Ｎ＋１番目の同期データに隣接して配列された複数のシンボルのうちの少なくとも一つを消失と判定し、そのことにより上記目的が達成される。
【００６７】
　上記同期検出情報が、上記Ｎ番目の同期データと上記Ｎ＋２番目の同期データとは検出され、上記Ｎ＋１番目の同期データは検出されなかったことを示す場合には、上記消失位置情報生成部は、上記Ｎ番目の同期データと上記Ｎ＋１番目の同期データとの間に配列された少なくとも一つのシンボルのうちの上記Ｎ＋１番目の同期データに隣接して配列された少なくとも一つのシンボルを消失と判定し、上記Ｎ＋１番目の同期データと上記Ｎ＋２番目の同期データとの間に配列された少なくとも一つのシンボルのうちの上記Ｎ＋１番目の同期データに隣接して配列された少なくとも一つのシンボルを消失と判定してもよい。
【００６８】
　上記同期検出情報が、互いに隣接した二つの同期データのうちの両方が検出されなかったことを示す場合には、上記消失位置情報生成部は、上記検出されなかった二つの同期データの間に配列された全てのシンボルを消失と判定してもよい。
【００６９】
　本発明の再生装置は、複数の同期データと誤り訂正符号化された符号化データとが記録された記録媒体から上記符号化データを再生する再生装置であって、上記符号化データは複数のシンボルを含み、上記複数の同期データのうちの互いに隣接する同期データの間には、上記複数のシンボルのうちの少なくとも二つが配列されており、上記再生装置は、上記記録媒体から上記複数の同期データと上記符号化データとを読み取る読み取り部と、上記複数の同期データの状態を検出し、上記検出結果を示す同期検出情報を生成する同期検出情報生成部と、上記同期検出情報に基づいて上記符号化データの消失位置を示す消失位置情報を生成する消失位置情報生成部と、上記消失位置情報に基づいて上記符号化データの消失誤り訂正を行う消失誤り訂正部とを備え、上記同期検出情報が、検出された同期データに隣接している同期データが検出されなかったことを示す場合には、上記消失位置情報生成部は、上記検出された同期データと上記検出されなかった同期データとの間に配列された少なくとも二つのシンボルのうちの上記検出されなかった同期データに隣接して配列された少なくとも一つのシンボルを消失と判定し、上記検出された同期データに隣接して配列された少なくとも一つのシンボルを消失ではないと判定し、そのことにより上記目的が達成される。
【００７０】
　上記同期検出情報が、互いに隣接した二つの同期データのうちの両方が検出されなかったことを示す場合には、上記消失位置情報生成部は、上記検出されなかった二つの同期データの間に配列された全てのシンボルを消失と判定してもよい。
【００７１】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生装置は、上記記録媒体から上記複合符号化データを読み取り、上記第１符号化データと上記第２符号化データと上記複数の同期データとを出力する読み取り部と、上記複数の同期データの状態を検出し、上記検出結果を示す同期検出情報を生成する同期検出情報生成部と、上記第１符号化データの誤り訂正を行い、上記第１符号化データの誤り位置を示す誤り位置情報を生成する誤り位置情報生成部と、上記誤り位置情報と上記同期検出情報とに基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記同期検出情報が、検出されなかった同期データが存在することを示し、上記誤り位置情報が、上記検出されなかった同期データの両側のそれぞれに隣接する第１シンボルに誤りが検出されなかったことを示す場合には、上記消失位置情報生成部は、上記検出されなかった同期データに隣接して配列された複数の第２シンボルのうちの少なくとも一つを消失と判定し、そのことにより上記目的が達成される。
【００７２】
　上記複数の同期データのうちの互いに隣接する同期データの間には、少なくとも二つの第１シンボルが配列されており、上記少なくとも二つの第１シンボルのうちの互いに隣接する第１シンボルの間には、少なくとも一つの第２シンボルが配列されており、上記誤り位置情報が、誤りが検出された第１シンボルが存在することを示し、上記誤り位置情報と上記同期検出情報との少なくとも一方が、上記誤りが検出された第１シンボルの両側のそれぞれには検出された同期データと誤りが検出されなかった第１シンボルとの一方が隣接していることを示す場合には、上記消失位置情報生成部は、上記誤りが検出された第１シンボルに隣接して配列された複数の第２シンボルのうちの少なくとも一つを消失と判定してもよい。
【００７３】
　本発明の再生装置は、複数の同期データと誤り訂正符号化された符号化データとが記録された記録媒体から上記符号化データを再生する再生装置であって、上記符号化データは複数のシンボルを含み、上記複数の同期データのうちの互いに隣接する同期データの間には、上記複数のシンボルのうちの少なくとも一つが配列されており、上記複数の同期データは、Ｎ（Ｎは整数）番目の同期データと、Ｎ＋１番目の同期データとを含み、上記再生装置は、上記記録媒体から上記複数の同期データと上記符号化データとを読み取る読み取り部と、上記複数の同期データの状態を検出し、上記検出結果を示す同期検出情報を生成する同期検出情報生成部と、上記同期検出情報に基づいて上記符号化データの消失位置を示す消失位置情報を生成する消失位置情報生成部と、上記消失位置情報に基づいて上記符号化データの消失誤り訂正を行う消失誤り訂正部とを備え、上記同期検出情報が、上記Ｎ＋１番目の同期データが位置ずれして検出されたことを示す場合には、上記消失位置情報生成部は、上記Ｎ番目の同期データと上記Ｎ＋１番目の同期データとの間に配列された少なくとも一つのシンボルを消失と判定し、そのことにより上記目的が達成される。
【００７４】
　上記複数の同期データは、Ｎ＋２番目の同期データを含み、上記同期検出情報が、上記Ｎ＋１番目の同期データが位置ずれして検出されたことを示す場合には、上記消失位置情報生成部は、上記Ｎ＋１番目の同期データと上記Ｎ＋２番目の同期データとの間に配列された少なくとも一つのシンボルを消失ではないと判定し、そのことにより上記目的が達成される。
【００７５】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記複数の同期データは、Ｎ（Ｎは整数）番目の同期データと、Ｎ＋１番目の同期データとを含み、上記再生装置は、上記記録媒体から上記複合符号化データを読み取り、上記第１符号化データと上記第２符号化データと上記複数の同期データとを出力する読み取り部と、上記複数の同期データの状態を検出し、上記検出結果を示す同期検出情報を生成する同期検出情報生成部と、上記第１符号化データの誤り訂正を行い、上記第１符号化データの誤り位置を示す誤り位置情報を生成する誤り位置情報生成部と、上記誤り位置情報と上記同期検出情報とに基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記同期検出情報が、上記Ｎ＋１番目の同期データが位置ずれして検出されたことを示す場合には、上記消失位置情報生成部は、上記Ｎ番目の同期データと上記Ｎ＋１番目の同期データとの間に配列された少なくとも一つの第２シンボルを消失と判定し、そのことにより上記目的が達成される。
【００７６】
　上記複数の同期データは、Ｎ＋２番目の同期データを含み、
　上記同期検出情報が、上記Ｎ＋１番目の同期データが位置ずれして検出されたことを示す場合には、上記消失位置情報生成部は、上記Ｎ＋１番目の同期データと上記Ｎ＋２番目の同期データとの間に配列された少なくとも一つの第２シンボルを消失ではないと判定してもよい。
【００７７】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記複数の同期データは、Ｎ（Ｎは整数）番目の同期データと、Ｎ＋１番目の同期データとを含み、上記Ｎ番目の同期データと上記Ｎ＋１番目の同期データとの間には所定の第１シンボルが配列されており、上記再生装置は、上記記録媒体から上記複合符号化データを読み取り、上記第１符号化データと上記第２符号化データと上記複数の同期データとを出力する読み取り部と、上記複数の同期データの状態を検出し、上記検出結果を示す同期検出情報を生成する同期検出情報生成部と、上記第１符号化データの誤り訂正を行い、上記第１符号化データの誤り位置を示す誤り位置情報を生成する誤り位置情報生成部と、上記誤り位置情報と上記同期検出情報とに基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記同期検出情報が、上記Ｎ＋１番目の同期データが位置ずれして検出されたことを示す場合には、上記消失位置情報生成部は、上記所定の第１シンボルと上記Ｎ＋１番目の同期データとの間に配列された少なくとも一つの第２シンボルを消失と判定し、そのことにより上記目的が達成される。
【００７８】
　上記複数の同期データは、Ｎ＋２番目の同期データを含み、上記Ｎ＋１番目の同期データと上記Ｎ＋２番目の同期データとの間には別の所定の第１シンボルが配列されており、上記同期検出情報が、上記Ｎ＋１番目の同期データが位置ずれして検出されたことを示す場合には、上記消失位置情報生成部は、上記Ｎ＋１番目の同期データと上記別の所定の第１シンボルとの間に配列された少なくとも一つの第２シンボルを消失ではないと判定してもよい。
【００７９】
　本発明の再生装置は、複数の同期データと誤り訂正符号化された符号化データとが記録された記録媒体から上記符号化データを再生する再生装置であって、上記符号化データは複数のシンボルを含み、上記複数の同期データのうちの互いに隣接する同期データの間には、上記複数のシンボルのうちの少なくとも一つが配列されており、上記再生装置は、上記記録媒体から上記複数の同期データと上記符号化データとを読み取る読み取り部と、上記複数の同期データの状態を検出し、上記検出結果を示す同期検出情報を生成する同期検出情報生成部と、上記同期検出情報に基づいて上記符号化データの消失位置を示す消失位置情報を生成する消失位置情報生成部と、上記消失位置情報に基づいて上記符号化データの消失誤り訂正を行う消失誤り訂正部とを備え、上記同期検出情報が、検出されなかった同期データと位置ずれして検出された同期データとの少なくとも一方が連続して存在することを示す場合には、上記消失位置情報生成部は、上記連続する同期データの間に配列された少なくとも一つのシンボルを消失と判定し、そのことにより上記目的が達成される。
【００８０】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生装置は、上記記録媒体から上記複合符号化データを読み取り、上記第１符号化データと上記第２符号化データと上記複数の同期データとを出力する読み取り部と、上記複数の同期データの状態を検出し、上記検出結果を示す同期検出情報を生成する同期検出情報生成部と、上記第１符号化データの誤り訂正を行い、上記第１符号化データの誤り位置を示す誤り位置情報を生成する誤り位置情報生成部と、上記誤り位置情報と上記同期検出情報とに基づいて上記第２符号化データの消失位置を示す消失位置情報を生成する消失位置情報生成部と、上記消失位置情報に基づいて上記第２符号化データの消失誤り訂正を行う消失誤り訂正部とを備え、上記同期検出情報が、検出されなかった同期データと位置ずれして検出された同期データとの少なくとも一方が連続して存在することを示す場合には、上記消失位置情報生成部は、上記連続する同期データの間に配列された少なくとも一つの第２シンボルを消失と判定し、そのことにより上記目的が達成される。
【００８１】
　上記消失位置情報生成部は、上記連続する同期データの間に配列された少なくとも一つの第１シンボルを消失と判定してもよい。
【００８２】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データとを含み、上記第１符号化データは複数の第１シンボルを含み、上記第２符号化データは複数の第２シンボルを含み、上記複数の第１シンボルのうちの互いに隣接する第１シンボルの間には、上記複数の第２シンボルのうちの少なくとも一つが配列されており、上記再生装置は、上記記録媒体から上記複合符号化データを読み取り、上記第１符号化データと上記第２符号化データとを出力する読み取り部と、上記第１符号化データの誤り訂正を行い、上記第１符号化データの誤り位置を示す誤り位置情報を生成する誤り位置情報生成部と、上記誤り位置情報に基づいて、上記第２符号化データの消失位置を示す第１の消失位置情報と第２の消失位置情報とを少なくとも生成する消失位置情報生成部と、上記第１の消失位置情報と上記第２の消失位置情報との少なくとも一方に基づいて、上記第２符号化データの消失誤り訂正を行う消失誤り訂正部とを備え、上記消失誤り訂正部は、上記第１の消失位置情報に基づいて訂正できなかった誤りが存在する場合には、上記第２の消失位置情報に基づいて上記第２符号化データの消失誤り訂正を行い、そのことにより上記目的が達成される。
【００８３】
　上記第１の消失位置情報に基づいて全ての誤りが訂正できた場合には、上記消失位置情報生成部は、上記第１の消失位置情報の生成時と同じ方法を用いて、別の第２符号化データの消失誤り訂正のための消失位置情報を生成し、
　上記第２の消失位置情報に基づいて全ての誤りが訂正できた場合には、上記消失位置情報生成部は、上記第２の消失位置情報の生成時と同じ方法を用いて、別の第２符号化データの消失誤り訂正のための消失位置情報を生成してもよい。
【００８４】
　上記複数の第１シンボルは、Ｎ（Ｎは整数）番目の第１シンボルと、Ｎ＋１番目の第１シンボルと、Ｎ＋２番目の第１シンボルとを含み、上記誤り位置情報が、上記Ｎ番目の第１シンボルと上記Ｎ＋２番目の第１シンボルとには誤りが検出されず、上記Ｎ＋１番目の第１シンボルに誤りが検出されたことを示す場合には、上記消失位置情報生成部は、上記Ｎ＋１番目の第１シンボルに隣接して配列された複数の第２シンボルのうちの少なくとも一つを消失と判定してもよい。
【００８５】
　本発明の再生装置は、複数の同期データと誤り訂正符号化された符号化データとが記録された記録媒体から上記符号化データを再生する再生装置であって、上記符号化データは複数のシンボルを含み、上記複数の同期データのうちの互いに隣接する同期データの間には、上記複数のシンボルのうちの少なくとも一つが配列されており、上記再生装置は、上記記録媒体から上記複数の同期データと上記符号化データとを読み取る読み取り部と、上記複数の同期データの状態を検出し、上記検出結果を示す同期検出情報を生成する同期検出情報生成部と、上記同期検出情報に基づいて上記符号化データの消失位置を示す第１の消失位置情報と第２の消失位置情報とを少なくとも生成する消失位置情報生成部と、上記第１の消失位置情報と上記第２の消失位置情報との少なくとも一方に基づいて上記符号化データの消失誤り訂正を行う消失誤り訂正部とを備え、上記消失誤り訂正部は、上記第１の消失位置情報に基づいて訂正できなかった誤りが存在する場合には、上記第２の消失位置情報に基づいて上記符号化データの消失誤り訂正を行い、そのことにより上記目的が達成される。
【００８６】
　上記第１の消失位置情報に基づいて全ての誤りが訂正できた場合には、上記消失位置情報生成部は、上記第１の消失位置情報の生成時と同じ方法を用いて、別の符号化データの消失誤り訂正のための消失位置情報を生成し、上記第２の消失位置情報に基づいて全ての誤りが訂正できた場合には、上記消失位置情報生成部は、上記第２の消失位置情報の生成時と同じ方法を用いて、別の符号化データの消失誤り訂正のための消失位置情報を生成してもよい。
【００８７】
　上記複数の同期データは、Ｎ（Ｎは整数）番目の同期データと、Ｎ＋１番目の同期データと、Ｎ＋２番目の同期データとを含み、上記同期検出情報が、上記Ｎ番目の同期データと上記Ｎ＋２番目の同期データとは検出され、上記Ｎ＋１番目の同期データは検出されなかったことを示す場合には、上記消失位置情報生成部は、上記Ｎ＋１番目の同期データに隣接して配列された複数のシンボルのうちの少なくとも一つを消失と判定してもよい。
【００８８】
　上記複数の同期データは、Ｎ（Ｎは整数）番目の同期データと、Ｎ＋１番目の同期データとを含み、上記同期検出情報が、上記Ｎ＋１番目の同期データが位置ずれして検出されたことを示す場合には、上記消失位置情報生成部は、上記Ｎ番目の同期データと上記Ｎ＋１番目の同期データとの間に配列された少なくとも一つのシンボルを消失と判定してもよい。
【００８９】
　上記同期検出情報が、検出されなかった同期データと位置ずれして検出された同期データとの少なくとも一方が連続して存在することを示す場合には、上記消失位置情報生成部は、上記連続する同期データの間に配列された少なくとも一つのシンボルを消失と判定してもよい。
【００９０】
　本発明の再生装置は、複合符号化データが記録された記録媒体から上記複合符号化データを再生する再生装置であって、上記複合符号化データは、第１誤り訂正符号を用いて誤り訂正符号化された第１符号化データと、上記第１誤り訂正符号よりも冗長度の低い第２誤り訂正符号を用いて誤り訂正符号化された第２符号化データと、複数の同期データとを含み、上記第１符号化データは複数の第１シンボルを含み、上記第２符号化データは複数の第２シンボルを含み、上記複数の同期データのうちの互いに隣接する同期データの間には、少なくとも一つの第１シンボルが配列されており、少なくとも同期データと第１シンボルとの間には、上記複数の第２シンボルのうちの少なくとも一つが配列されており、上記再生装置は、上記記録媒体から上記複合符号化データを読み取り、上記第１符号化データと上記第２符号化データと上記複数の同期データとを出力する読み取り部と、上記複数の同期データの状態を検出し、上記検出結果を示す同期検出情報を生成する同期検出情報生成部と、上記第１符号化データの誤り訂正を行い、上記第１符号化データの誤り位置を示す誤り位置情報を生成する誤り位置情報生成部と、上記誤り位置情報と上記同期検出情報とに基づいて、上記第２符号化データの消失位置を示す第１の消失位置情報と第２の消失位置情報とを少なくとも生成する消失位置情報生成部と、上記第１の消失位置情報と上記第２の消失位置情報との少なくとも一方に基づいて上記第２符号化データの消失誤り訂正を行う消失誤り訂正部とを備え、上記消失誤り訂正部は、上記第１の消失位置情報に基づいて訂正できなかった誤りが存在する場合には、上記第２の消失位置情報に基づいて上記第２符号化データの消失誤り訂正を行い、そのことにより上記目的が達成される。
【００９１】
　上記第１の消失位置情報に基づいて全ての誤りが訂正できた場合には、上記消失位置情報生成部は、上記第１の消失位置情報の生成時と同じ方法を用いて、別の第２符号化データの消失誤り訂正のための消失位置情報を生成し、上記第２の消失位置情報に基づいて全ての誤りが訂正できた場合には、上記消失位置情報生成部は、上記第２の消失位置情報の生成時と同じ方法を用いて、別の第２符号化データの消失誤り訂正のための消失位置情報を生成してもよい。
【００９２】
　上記同期検出情報が、検出されなかった同期データが存在することを示し、上記誤り位置情報が、上記検出されなかった同期データの両側のそれぞれに隣接する第１シンボルに誤りが検出されなかったことを示す場合には、上記消失位置情報生成部は、上記検出されなかった同期データに隣接して配列された複数の第２シンボルのうちの少なくとも一つを消失と判定してもよい。
【００９３】
　上記複数の同期データのうちの互いに隣接する同期データの間には、少なくとも二つの第１シンボルが配列されており、上記少なくとも二つの第１シンボルのうちの互いに隣接する第１シンボルの間には、少なくとも一つの第２シンボルが配列されており、上記誤り位置情報が、誤りが検出された第１シンボルが存在することを示し、上記誤り位置情報と上記同期検出情報との少なくとも一方が、上記誤りが検出された第１シンボルの両側のそれぞれには検出された同期データと誤りが検出されなかった第１シンボルとの一方が隣接していることを示す場合には、上記消失位置情報生成部は、上記誤りが検出された第１シンボルに隣接して配列された複数の第２シンボルのうちの少なくとも一つを消失と判定してもよい。
【００９４】
　上記複数の同期データは、Ｎ（Ｎは整数）番目の同期データと、Ｎ＋１番目の同期データとを含み、上記同期検出情報が、上記Ｎ＋１番目の同期データが位置ずれして検出されたことを示す場合には、上記消失位置情報生成部は、上記Ｎ番目の同期データと上記Ｎ＋１番目の同期データとの間に配列された少なくとも一つの第２シンボルを消失と判定してもよい。
【００９５】
　上記同期検出情報が、検出されなかった同期データと位置ずれして検出された同期データとの少なくとも一方が連続して存在することを示す場合には、上記消失位置情報生成部は、上記連続する同期データの間に配列された少なくとも一つの第２シンボルを消失と判定してもよい。
【発明の効果】
【００９６】
　本発明によれば、冗長度の高い第１符号化データに含まれる第１シンボルに誤りが検出された、または同期データが検出できなかった場合には、誤りが検出された第１シンボルまたは検出できなかった同期データの近傍に配列された第２シンボルを、誤りである可能性が高いことから消失として判定する。また、同期データが位置ずれして検出された場合には、その同期データより前に配列された符号化データに含まれるシンボルを、誤りである可能性が高いことから消失として判定し、その同期データより後ろに配列された符号化データに含まれるシンボルを誤りである可能性が低いことから消失ではないと判定する。また、検出できなかった同期データおよび位置ずれして検出された同期データが連続している場合には、次に正しく同期データが検出されるまでは、その間に読み出されたデータは誤りである可能性が高いことから、その連続する同期データの間の全ての符号化データに含まれるシンボルを消失として判定する。これらの方法により、より精度が高く消失位置を決定することができ、誤り訂正の能力を向上させることができる。
【発明を実施するための最良の形態】
【００９７】
　以下、図面を参照して本発明の実施の形態を詳細に説明する。
【００９８】
　（実施の形態１）
　本発明の実施の形態１における誤り訂正方法を、図２に示す複合符号化データ２０３を複合符号化データの一例として参照して説明する。
【００９９】
　図１は、本実施の形態における複合符号化データ２０３の誤り訂正方法を示すフローチャート１０を示す。
【０１００】
　ステップ１０１で、同期データ２０４、２０５の状態の検出を記録順に行い、検出結果を示す同期検出情報を生成する。例えば、ある同期データが検出できた場合、その同期データに対応付けられた同期検出情報は０を示す。ある同期データが検出できなかった場合、その同期データに対応付けられた同期検出情報は１を示す。さらにある同期データがずれて検出された場合には、その同期データに対応付けられた同期検出情報は２を示す。
【０１０１】
　ステップ１０２で、第１符号化データ２０１の誤り訂正を行い、ステップ１０３で、第１符号化データ２０１の誤り位置を示す誤り位置情報を生成する。ここで、第１符号化データ２０１はインターリーブされて配置されているので、インターリーブの逆変換であるデインターリーブを施した第１符号化データ２０１に誤り訂正を行う。これにより、第１符号化データ２０６〜２１１のそれぞれに誤り訂正が行なわれる。詳細については後述する。
【０１０２】
　ステップ１０４で、ステップ１０１、１０３で生成した同期検出情報と誤り位置情報とを用いて、第２符号化データ２０２の消失位置を示す消失位置情報を生成する。詳細については後述する。
【０１０３】
　ステップ１０５では、ステップ１０４で生成した消失位置情報を用いて第２符号化データ２０２の消失誤り訂正を行う。
【０１０４】
　図８は、図１のステップ１０２、１０３において実行した、第１符号化データ２０１の誤りを訂正し、誤り位置情報を生成する方法の一例を示すフローチャート８０を示す。
【０１０５】
　ステップ８０１で、誤り箇所を特定するための位置情報を示すシンドロームを計算する。誤り訂正するデータＲを
【０１０６】
【数３】
2004140816.tif 000005
とする。Ａ［ｉ］（ｉ＝０〜６１）は、１バイトを表し、８ビットに相当する。ここでは、１シンボルのデータサイズを１バイトとする。Ａ［０］〜Ａ［２９］はデータ部分、Ａ［３０］〜Ａ［６１］はパリティ部分を表す。このとき、シンドロームＳｊは次のように定義される。
【０１０７】
【数４】
2004140816.tif 000006
ただし、ｊ＝０〜３１である。
【０１０８】
　ステップ８０２で、シンドロームＳｊが０ならば、ステップ８１０でデータＲに含まれる全シンボルＡ［ｉ］（ｉ＝０〜６１）に誤りがないと判定し、ステップ８１３で、全シンボルＡ［ｉ］（ｉ＝０〜６１）に対応する誤り位置情報として０を示す誤り位置情報を生成する。シンドロームＳｊが０でなければ、次のステップ８０３に進む。
【０１０９】
　ステップ８０３で、シンドロームＳｊを用いて誤り位置多項式を導出する。誤り位置多項式は、誤り位置Ｌ１、Ｌ２、…、Ｌｍ（ｍは誤り個数）の逆数を根に持つ多項式であり、
【０１１０】
【数５】
2004140816.tif 000007
で表される。誤り位置多項式の係数は、シンドロームＳｊによって定義される。誤り位置多項式の係数とシンドロームＳｊの間に成り立つ連立方程式を行列を使って解くピーターソン法や、その連立方程式を多項式を使って解く逐次的計算法であるユークリッド法やＢＭ法などのアルゴリズムを用いて、誤り位置多項式の係数が求められる。
【０１１１】
　ステップ８０４で、誤り位置多項式の係数が求められたならば、次のステップ８０５に進む。求められなければ、ステップ８０９に進む。ステップ８０９で、訂正可能個数より多くの誤りが発生していると判定し、ステップ８１２で、全シンボルＡ［ｉ］（ｉ＝０〜６１）に対応する誤り位置情報として１を示す誤り位置情報を生成する。
【０１１２】
　ステップ８０５で、誤り位置多項式に原始多項式（数１）の根であるαの−ｉ乗（ｉ＝０〜６１）を順次代入し、誤り位置多項式の解が０となるｋを求め、データが誤っている位置（すなわち誤り位置）を求める。誤り位置に対応するシンボルを（数６）のように表す。
【０１１３】
【数６】
2004140816.tif 000008
　ステップ８０６で、誤り位置を求める計算が可能であったならば、次のステップ８０７に進む。誤り位置を求める計算が不可能であったならば、全シンボルＡ［ｉ］（ｉ＝０〜６１）に対応する誤り位置情報として１を示す誤り位置情報を生成する。
【０１１４】
　ステップ８０７で、ステップ８０５、８０６で求めた誤り位置とシンドロームＳｊとの間の連立方程式を解くことにより、誤りの値を計算する。
【０１１５】
　ステップ８０８で、ステップ８０５、８０６で求めた誤り位置に対応するシンボルＡ［６１−ｋ］が示す値から、ステップ８０７で求めた誤りの値を引くことにより、シンボルＡ［６１−ｋ］の誤り訂正を行う。ステップ８１１でシンボルＡ［６１−ｋ］に対応する誤り位置情報として１を示す誤り位置情報を生成する。このような誤りを訂正および誤り位置情報の生成を実行することにより、第１符号化データ２０１の誤り位置情報が生成される。
【０１１６】
　以下、図１のステップ１０４における消失位置情報を生成する方法を詳細に説明する。消失位置情報の生成においては、消失位置情報を生成しようとする第２符号化データの前後に位置する同期データの同期検出情報および／または消失位置情報を生成しようとする第２符号化データの前後に位置する第１符号化データの誤り位置情報を読みだし、読み出したこれらの情報を用いて消失位置情報を生成する。本実施の形態では、同期データおよび第１シンボルの状態が図９〜図１１のような状態となっている場合の消失位置情報を生成する方法を説明する。図９〜図１１に示す各データは、行列状に構成された複合符号化データ２０３のうちの記録方向に沿った１行分のデータの一部（または複数行分のデータの一部）を示す。
【０１１７】
　図９において、×は、同期検出情報が１を示す同期データまたは誤り位置情報が１を示す第１シンボルを表す。○は同期検出情報が０を示す同期データまたは誤り位置情報が０を示す第１シンボルを表す。
【０１１８】
　図９では、記録方向９０８に沿った順番で、Ｎ（Ｎは整数）番目の第１シンボル９０１とＮ＋１番目の第１シンボル９０２とＮ＋２番目の第１シンボル９０３とが配列されている。Ｎ番目の第１シンボル９０１とＮ＋２番目の第１シンボル９０３とには誤りが検出されず、Ｎ＋１番目の第１シンボル９０２に誤りが検出されている場合には、Ｎ＋１番目の第１シンボル９０２の両側に隣接して配列された複数の第２シンボルのうちの少なくとも一つを消失と判定し、その判定結果を示す消失位置情報を生成する。
【０１１９】
　図９では、Ｎ番目の第１シンボル９０１とＮ＋１番目の第１シンボル９０２との間には、第２符号化データ９０９が配列されている。第２符号化データ９０９は、消失と判定する第２シンボルの個数に応じて二つの部分第２符号化データ９０４および９０６に分けられる。部分第２符号化データ９０４および９０６のそれぞれは少なくとも一つの第２シンボルを含む。消失位置情報の生成時には、Ｎ＋１番目の第１シンボル９０２に隣接して配列されている部分第２符号化データ９０４が含む少なくとも一つの第２シンボルを消失と判定する。また、Ｎ番目の第１シンボル９０１に隣接して配列されている部分第２符号化データ９０６が含む少なくとも一つの第２シンボルは消失ではないと判定する。
【０１２０】
　また、Ｎ＋１番目の第１シンボル９０２とＮ＋２番目の第１シンボル９０３との間には、第２符号化データ９１０が配列されている。第２符号化データ９１０は、消失と判定する第２シンボルの個数に応じて二つの部分第２符号化データ９０５および９０７に分けられる。部分第２符号化データ９０５および９０７のそれぞれは少なくとも一つの第２シンボルを含む。消失位置情報の生成時には、Ｎ＋１番目の第１シンボル９０２に隣接して配列されている部分第２符号化データ９０５が含む少なくとも一つの第２シンボルを消失と判定する。また、Ｎ＋２番目の第１シンボル９０３に隣接して配列されている部分第２符号化データ９０７が含む少なくとも一つの第２シンボルは消失ではないと判定する。
【０１２１】
　消失と判定する第２シンボルの数は任意であり、例えば同期データおよび／または第１符号化データに挟まれる第２符号化データ９０９および９１０のそれぞれが含む複数の第２シンボルのうちの半分を消失と判定してもよいし、全ての第２シンボルを消失と判定してもよい。
【０１２２】
　消失と判定した第２シンボルには、１を示す消失位置情報を対応付ける。
消失ではないと判定した第２シンボルには、０を示す消失位置情報を対応付ける。
【０１２３】
　なお、Ｎ番目の第１シンボル９０１、Ｎ＋１番目の第１シンボル９０２およびＮ＋２番目の第１シンボル９０３は、同期データであってもよい。この場合も上記の説明と同様に、Ｎ＋１番目の同期データ９０２の両側に隣接して配列された複数の第２シンボルのうちの少なくとも一つを消失と判定し、その判定結果を示す消失位置情報を生成する。
【０１２４】
　例えば、Ｎ＋１番目の同期データ９０２に隣接して配列されている部分第２符号化データ９０４が含む少なくとも一つの第２シンボルを消失と判定する。また、Ｎ番目の同期データ９０１に隣接して配列されている部分第２符号化データ９０６が含む少なくとも一つの第２シンボルは消失ではないと判定する。
【０１２５】
　また、例えば、Ｎ＋１番目の同期データ９０２に隣接して配列されている部分第２符号化データ９０５が含む少なくとも一つの第２シンボルを消失と判定する。また、Ｎ＋２番目の同期データ９０３に隣接して配列されている部分第２符号化データ９０７が含む少なくとも一つの第２シンボルは消失ではないと判定する。この場合も、消失と判定する第２シンボルの数は任意である。
【０１２６】
　また、Ｎ番目の第１シンボル９０１、Ｎ＋１番目の第１シンボル９０２およびＮ＋２番目の第１シンボル９０３のうちの少なくとも１つ（例えばＮ番目の第１シンボル９０１）が、同期データであってもよい。この場合も上記と同様の手順で、消失位置情報を生成する（上記と同様の手順で消失位置情報を生成するため、詳細な説明は省略する）。
【０１２７】
　この消失位置情報を生成する方法を図７に示したような誤りが発生したケースに適用すると、誤り位置領域７１０、７１１に配置された第２シンボルが消失と判定される。この判定の結果、部分第２符号化データ７０４〜７０９のそれぞれは、消失と判定された１２個の第２シンボルと、誤りと判定された５個の第２シンボルとを含むことになり、消失の個数と誤りの個数が（数２）の範囲内となるので、誤り訂正を行うことができる。
【０１２８】
　なお、誤り位置情報（または同期検出情報）が、互いに隣接した二つの第１シンボル（または互いに隣接した二つの同期データ）のうちの両方に誤りが検出されたことを示す場合には、それら誤りが検出された二つの第１シンボル（または二つの同期データ）の間に配列された全ての第２シンボルを消失と判定してもよい。
【０１２９】
　次に、図１０を参照して消失位置情報を生成する他の方法を説明する。図１０において、×は同期検出情報が１を示す同期データを表し、△は同期検出情報が２を示す同期データ（すなわちずれて検出された同期データ）を表す。
【０１３０】
　図１０では、記録方向１００６に沿って、Ｎ番目の同期データ１００２とＮ＋１番目の同期データ１００１とＮ＋２番目の同期データ１００３とが配列されている。Ｎ番目の同期データ１００２とＮ＋１番目の同期データ１００１との間には少なくとも第２符号化データ１００４が配列されている。Ｎ＋１番目の同期データ１００１とＮ＋２番目の同期データ１００３との間には少なくとも第２符号化データ１００５が配列されている。第２符号化データ１００４および第２符号化データ１００５のそれぞれは少なくとも一つの第２シンボルを含む。図１０に示すように、Ｎ＋１番目の同期データ１００１が位置ずれして検出された場合には、Ｎ番目の同期データ１００２とＮ＋１番目の同期データ１００１との間に配列された少なくとも一つの第２シンボルを消失と判定する。また、Ｎ＋１番目の同期データ１００１とＮ＋２番目の同期データ１００３との間に配列された少なくとも一つの第２シンボルを消失ではないと判定する。これは、同期データがずれて検出された場合は、ずれて検出された同期データより前に位置するシンボルは誤っている可能性が高く、ずれて検出された同期データより後に位置するシンボルは正しく再生される可能性が高いからである。
【０１３１】
　なお、Ｎ番目の同期データ１００２とＮ＋２番目の同期データ１００３とが第１シンボルであってもよい（この場合、×は誤り位置情報が１を示す第１シンボルを表す。また、この場合、第１シンボル１００２は、Ｎ番目の同期データとＮ＋１番目の同期データとの間に配列された第１シンボルであり、第１シンボル１００３は、Ｎ＋１番目の同期データとＮ＋２番目の同期データとの間に配列された第１シンボルである。）。この場合も、第１シンボル１００２とＮ＋１番目の同期データ１００１との間に配列された少なくとも一つの第２シンボルを消失と判定する。また、Ｎ＋１番目の同期データ１００１と第１シンボル１００３との間に配列された少なくとも一つの第２シンボルを消失ではないと判定する。
【０１３２】
　消失と判定した第２シンボルには、１を示す消失位置情報を対応付ける。
消失ではないと判定した第２シンボルには、０を示す消失位置情報を対応付ける。
【０１３３】
　この消失位置情報を生成する方法を用いると、同期データより前に位置する誤っている可能性が高いシンボルを消失と判定することができ、誤ったシンボルのうちの訂正できるシンボルの個数が増えるため、誤り訂正能力が向上する。また、同期データより後に位置する正しく再生される可能性の高いシンボルを消失ではないと判定するため、誤っていないシンボルが消失と判定されず、この結果、不要な消失位置が減ることにより有効な消失誤り訂正が行えるため、誤り訂正能力が向上する。
【０１３４】
　次に、図１１を参照して消失位置情報を生成するさらに他の方法を説明する。図１１において、×は同期検出情報が１を示す同期データおよび誤り位置情報が１を示す第１シンボルのうちの少なくとも一方を表し、○は同期検出情報が０を示す同期データおよび誤り位置情報が０を示す第１シンボルのうちの少なくとも一方を表し、△は同期検出情報が２を示す同期データを表す。
【０１３５】
　同期データが検出できなかった場合には、次に正しく同期データが検出されるまでは、その間に読み出されたデータは誤っている可能性が高い。そこで、検出されなかった同期データと位置ずれして検出された同期データとの少なくとも一方が連続している場合には、その連続する同期データの間に配列された少なくとも一つの第１シンボルおよび少なくとも一つの第２シンボルを消失と判定する。図１１を参照して、同期データ１１０１、１１０２のように同期検出情報が１を示す同期データが記録方向１１１８に沿って連続した場合、同期データ１１０１、１１０２の間に、誤り位置情報が０を示す第１シンボル１１０４が存在したとしても、それは偶然に第１シンボル１１０４が示す情報が正しい符号語と一致したとみなし、第１シンボル１１０４を消失と判定する。また、同期データ１１０１、１１０２の間の第２符号化データ１１１０、１１１１、１１１２、１１１３のそれぞれが含む第２シンボルを消失と判定する。消失と判定した第２シンボルには、１を示す消失位置情報を対応付ける。
【０１３６】
　同様に、同期データ１１０２、１１０３のように同期検出情報が１を示す同期データと同期検出情報が２を示す同期データとが記録方向１１１８に沿って連続した場合、同期データ１１０２、１１０３の間に誤り位置情報が０を示す第１シンボル１１０８が存在したとしても、それは偶然に第１シンボル１１０８が示す情報が正しい符号語と一致したとみなし、第１シンボル１１０８を消失と判定する。また、同期データ１１０２、１１０３の間の第２符号化データ１１１４、１１１５、１１１６、１１１７のそれぞれが含む第２シンボルを消失と判定する。消失と判定した第２シンボルには、１を示す消失位置情報を対応付ける。なお、第１シンボル１１０５、１１０６、１１０７、１１０９は誤っていると判定された第１シンボルである。
【０１３７】
　この消失位置情報を生成する方法を用いると、偶然に第１シンボルが示す情報が正しい符号語と一致したために誤っているのに誤っていると判定されなかった第１シンボルを、正確に誤りと判定することができる。これにより、誤っているのに誤っていると判定されなかった第１シンボルが原因で、誤っているのに消失と判定できなかった第２シンボルを消失と正確に判定することができる。誤ったシンボルのうちの訂正できるシンボルの個数が増えるため、誤り訂正能力が向上する。また、より確実に消失誤り訂正を行うことができるので、消失誤り訂正能力が向上する。
【０１３８】
　図１２は、図１のステップ１０５において実行する、第２符号化データ２０２を消失誤り訂正する方法の一例を示すフローチャート１２０を示す。
【０１３９】
　ステップ１２０１で、誤り箇所を特定するための位置情報を示すシンドロームを計算する。消失誤り訂正するデータＲを
【０１４０】
【数７】
2004140816.tif 000009
とする。Ｂ［ｉ］（ｉ＝０〜２４７）は、１バイトを表し、８ビットに相当する。ここでは、１シンボルのデータサイズを１バイトとする。Ｂ［０］〜Ｂ［２１５］はコンテンツ（例えば映像）などを示すデータ部分、Ｂ［２１６］〜Ｂ［２４７］はパリティ部分を表す。このとき、シンドロームＳｊは次のように定義される。
【０１４１】
【数８】
2004140816.tif 000010
ただし、ｊ＝０〜３１である。
【０１４２】
　ステップ１２０２で、シンドロームＳｊが０ならば、ステップ１２１０で、全てのシンボルＢ［ｉ］（ｉ＝０〜２４７）に誤りがないと判定し、消失誤り訂正処理を終了する。シンドロームＳｊが０でなければ、次のステップ１２０３に進む。
【０１４３】
　ステップ１２０３で、シンドロームＳｊと消失位置情報とを用いて誤り位置多項式を導出する。誤り位置多項式は、誤り位置Ｌ１、Ｌ２、…、Ｌｍ（ｍは誤り＋消失の個数）の逆数を根に持つ多項式（数５）である。
【０１４４】
　誤り位置多項式の係数は、シンドロームＳｊと消失位置情報とによって定義される。誤り位置多項式の係数と、シンドロームＳｊと、消失位置情報との間に成り立つ連立方程式を行列を使って解くピーターソン法や、その連立方程式を多項式を使って解く逐次的計算法であるユークリッド法やＢＭ法などのアルゴリズムを用いて、誤り位置多項式の係数が求められる。
【０１４５】
　ステップ１２０４で、誤り位置多項式の係数が求められたならば、次のステップ１２０５に進む。求められなければ、訂正可能個数より多くの誤りが発生しているため、ステップ１２０９で訂正不能と判定し、消失誤り訂正処理を終了する。
【０１４６】
　ステップ１２０５で、誤り位置多項式に原始多項式（数１）の根であるαの−ｉ乗（ｉ＝０〜２４７）を順次代入し、誤り位置多項式の解が０となるｋを求め、データが誤っている位置（すなわち誤り位置）を求める。誤り位置に対応するシンボルを（数９）のように表す。
【０１４７】
【数９】
2004140816.tif 000011
　ステップ１２０６で、誤り位置を求める計算が可能であったならば、次のステップ１２０７に進む。計算が不可能であったならば、ステップ１２０９で訂正不能と判定し、消失誤り訂正処理を終了する。
【０１４８】
　ステップ１２０７で、ステップ１２０５、１２０６で求めた誤り位置と、シンドロームＳｊと、消失位置情報との間の連立方程式を解くことにより、誤りの値を計算する。
【０１４９】
　ステップ１２０８で、ステップ１２０５、１２０６で求めた誤り位置に対応するデータの値から、ステップ１２０７で求めた誤りの値を引くことにより、シンボルＢ［２４７−ｋ］の訂正を行い、消失誤り訂正処理を終了する。
【０１５０】
　以上説明したように、実施の形態１においては、冗長度の高い第１符号化データに含まれる第１シンボルに誤りが検出された、または同期データが検出できなかった場合（図９）には、誤りが検出された第１シンボルまたは検出できなかった同期データの近傍に配列された第２シンボルを、誤りである可能性が高いことから消失として判定する。また、同期データが位置ずれして検出された場合（図１０）には、その同期データより前に配列された符号化データに含まれるシンボルを、誤りである可能性が高いことから消失として判定し、その同期データより後ろに配列された符号化データに含まれるシンボルを誤りである可能性が低いことから消失ではないと判定する。また、検出できなかった同期データおよび位置ずれして検出された同期データが連続している場合（図１１）には、次に正しく同期データが検出されるまでは、その間に読み出されたデータは誤りである可能性が高いことから、その連続する同期データの間の全ての符号化データに含まれるシンボルを消失として判定する。これらの方法により、より精度が高く消失位置を決定することができ、誤り訂正の能力を向上させることができる。
【０１５１】
　（実施の形態２）
　本発明の実施の形態２における誤り訂正方法を、図２に示す複合符号化データ２０３を複合符号化データの一例として参照して説明する。
【０１５２】
　図１３は、本実施の形態における複合符号化データ２０３の誤り訂正方法を示すフローチャート１３０を示す。図１に示すステップと同じステップについて同一参照符号を付し、説明は省略する。
【０１５３】
　図１に示すフローチャート１０との違いは、ステップ１０５で、第２符号化データの誤りが訂正できなかった場合、別の消失位置情報生成方法により生成された消失位置情報を用いて繰り返し消失誤り訂正を行うことである。本実施の形態では、誤りを全て訂正するか、終了条件を満たすまで、繰り返し消失誤り訂正を行う。
【０１５４】
　以下、本実施の形態の消失誤り訂正処理の一例として、第１消失位置情報生成方法、第２消失位置情報生成方法、第３消失位置情報生成方法の３つの消失位置情報生成方法を用い、終了条件として３つの消失位置情報生成方法を全て使用したら終了する消失誤り訂正を説明する。これら３つの消失位置情報生成方法は、例えば、図９、図１０、図１１を参照して説明した方法である。
【０１５５】
　ステップ１０１、ステップ１０２、ステップ１０３の処理を実行した後、ステップ１３０１で、使用する消失位置情報生成方法として、まず、第１消失位置情報生成方法を選択する。
【０１５６】
　ステップ１３０２で、ステップ１０１、１０３で生成した同期検出情報と誤り位置情報とを用いて、第１消失位置情報生成方法を実行し、第１消失位置情報を生成する。
【０１５７】
　ステップ１０５で、ステップ１３０２で生成した第１消失位置情報を用いて、第２符号化データの消失誤り訂正を行う。訂正後の第２符号化データを第１訂正データとする。
【０１５８】
　ステップ１３０３で、第２符号化データに訂正できなかった誤りが含まれている場合には、ステップ１３０４に進み、誤りを全て訂正できた場合には、誤り訂正処理を終了する。
【０１５９】
　ステップ１３０４では、まだ１つの消失位置情報生成方法しか使っていないので、終了条件を満たしていないと判定する。従って、ステップ１３０１に戻り、使用した第１消失位置情報生成方法とは違う、第２消失位置情報生成方法を選択する。
【０１６０】
　ステップ１３０２で、ステップ１０１、１０３で生成した同期検出情報と誤り位置情報とを用いて、第２消失位置情報生成方法を実行し、第２消失位置情報を生成する。
【０１６１】
　ステップ１０５で、第１訂正データを、ステップ１３０２で生成した第２消失位置情報を用いて消失誤り訂正を行う。訂正後の第１訂正データを第２訂正データとする。
【０１６２】
　ステップ１３０３で、第１訂正データに訂正できなかった誤りが含まれている場合には、ステップ１３０４に進み、誤りを全て訂正できた場合には、誤り訂正処理を終了する。
【０１６３】
　ステップ１３０４では、２つの消失位置情報生成方法しか使っていないので、終了条件を満たしていないと判定する。従って、ステップ１３０１に戻り、使用した第１消失位置情報生成方法および第２消失位置情報生成方法とは違う、第３消失位置情報生成方法を選択する。
【０１６４】
　ステップ１３０２で、ステップ１０１、１０３で生成した同期検出情報と誤り位置情報とを用いて、第３消失位置情報生成方法を実行し、第３消失位置情報を生成する。
【０１６５】
　ステップ１０５で、第２訂正データを、ステップ１３０２で生成した第３消失位置情報を用いて消失誤り訂正を行う。
【０１６６】
　ステップ１３０３で、第２訂正データに訂正できなかった誤りが含まれている場合には、ステップ１３０４に進み、誤りを全て訂正できた場合には、誤り訂正処理を終了する。
【０１６７】
　ステップ１３０４では、３つの消失位置情報生成方法を使用したので、終了条件を満たしていると判定する。従って、誤り訂正処理を終了する。
【０１６８】
　なお、実施の形態２では、３つの消失位置情報生成方法を用いたが、用いる生成方法の数は少なくとも２つあればよく、消失位置情報生成方法も消失位置情報が生成できる方法であればどのような方法であってもよい。
【０１６９】
　実施の形態２のステップ１３０１において、第１消失位置情報生成方法、第２消失位置情報生成方法、第３消失位置情報生成方法の順に、消失位置情報生成方法を選択したが、ステップ１０５で、誤りが訂正できなかった場合には直前に用いた消失位置情報生成方法以外であれば、それより以前に用いた消失位置情報生成方法を選択してもよい。また、誤りが訂正できた場合、そのときに用いた消失位置情報生成方法を、次の別の第２符号化データの消失位置情報生成時に最初に使用する消失位置情報生成方法として選択してもよい。例えば、第１消失位置情報に基づいて全ての誤りが訂正できた場合には、第１消失位置情報の生成時と同じ方法を用いて、別の第２符号化データの消失誤り訂正のための消失位置情報を生成する。また、第２消失位置情報に基づいて全ての誤りが訂正できた場合には、第２消失位置情報の生成時と同じ方法を用いて、別の第２符号化データの消失誤り訂正のための消失位置情報を生成する。
【０１７０】
　２回目と３回目の消失誤り訂正を行う際、前回の消失誤り訂正で誤りを訂正した第１訂正データおよび第２訂正データに対して消失誤り訂正を行ったが、誤りを訂正していない第２符号化データに対して消失誤り訂正を行ってもよい。
【０１７１】
　実施の形態２では、終了条件を３つの消失位置情報生成方法を全て使用したら終了するとしたが、３つの消失位置情報生成方法の全ての順列組み合わせを網羅したり、訂正されなくなるまで３つの消失位置情報生成方法を順に繰り返すなど、本発明の趣旨を逸脱しない範囲で種々に手順を変更することが可能なことは明らかである。
【０１７２】
　以上説明したように、実施の形態２において、ある消失位置情報生成方法で生成した消失位置情報を用いて、消失誤り訂正を行い、訂正できなかった誤りがある場合、別の消失位置情報生成方法で生成した消失位置情報を用いて繰り返し消失誤り訂正を行うことで、１回の消失誤り訂正では訂正できなかった誤りを訂正でき、これにより誤り訂正の能力を向上させることができる。
【０１７３】
　（実施の形態３）
　図１４は、本発明の実施の形態３における情報再生装置１４０を示す図である。情報再生装置１４０は、実施の形態１および２で説明した誤り訂正方法を実行する。本実施の形態の説明では、図１、２、８、９、１０、１１、１２、１３を参照するが、それらの図面の詳細な説明は、実施の形態１および２で説明したので、ここでは省略する。主に、複合符号化データ２０３を図１３に示す誤り訂正方法を用いて再生する動作の一例を説明する。
【０１７４】
　情報再生装置１４０は、再生制御回路１４０２と、書き換え可能メモリ１４０３と、誤り訂正回路１４０８と、マイコン１４１１と、プログラムメモリ１４１２とを備える。記録媒体１４０１には、複合符号化データの一例として図２に示す複合符号化データ２０３が記録方向２２０に沿って記録されている。
【０１７５】
　再生制御回路１４０２は、記録媒体１４０１から複合符号化データを読み取り、第１符号化データと第２符号化データと複数の同期データとを出力する読み取り部１４０２Ａと、複数の同期データの状態を検出してその検出結果を示す同期検出情報を生成する同期検出情報生成部１４０２Ｂとを備える。
【０１７６】
　書き換え可能メモリ１４０３は、再生データ領域１４０４と、同期検出情報領域１４０５と、誤り位置情報領域１４０６と、消失位置情報領域１４０７とを含む。誤り訂正回路１４０８は、第１誤り訂正回路１４０９と、第２誤り訂正回路１４１０とを備える。第１誤り訂正回路１４０９は、第１符号化データの誤り訂正を行い、第１符号化データの誤り位置を示す誤り位置情報を生成する誤り位置情報生成部として機能する。第２誤り訂正回路１４１０は、消失位置情報に基づいて第２符号化データの消失誤り訂正を行う消失誤り訂正部として機能する。マイコン１４１１は、誤り位置情報と同期検出情報とに基づいて第２符号化データの消失位置を示す消失位置情報を生成する消失位置情報生成部として機能する。
【０１７７】
　書き換え可能メモリ１４０３として、データの保持動作が不要なスタティックメモリ（例えばＳＲＡＭ）、またはデータの保持動作が必要なダイナミックメモリ（例えばＤＲＡＭ）を使用してもよい。なお実施の形態３では、１つの書き換え可能メモリ１４０３を領域を分けて共用しているが、いくつかの書き換え可能メモリを情報再生装置１４０が備えてそれらに個別に各データを格納してもよい。
【０１７８】
　プログラムメモリ１４１２には、消失位置情報生成プログラム１４１３と、終了条件分岐プログラム１４１４とが格納されている。
【０１７９】
　消失位置情報生成プログラム１４１３は、図１３のステップ１３０１、１３０２を参照して説明した消失位置情報生成方法をマイコン１４１１に実行させるプログラムである。マイコン１４１１は、書き換え可能メモリ１４０３に格納されている同期検出情報と誤り位置情報を用いて消失位置情報を生成し、生成した消失位置情報を消失位置情報領域１４０７に格納する処理を行う。
【０１８０】
　終了条件分岐プログラム１４１４は、図１３のステップ１３０３、１３０４を参照して説明した終了条件判定をマイコン１４１１に実行させるプログラムである。マイコン１４１１は、終了条件を満たしたと判定した場合には、誤り訂正を終了する処理を行い、満たしていないと判定した場合には、別の消失位置情報生成方法を消失位置情報生成プログラム１４１３に基づいて実行する。
【０１８１】
　再生制御回路１４０２が備える読み取り部１４０２Ａは、記録媒体１４０１から複合符号化データ２０３を読み出す。なお、再生した第１および第２符号化データにインターリーブが施されていた場合には、読み取り部１４０２Ａはインターリーブの逆変換であるデインターリーブを施す。再生した第１および第２符号化データ２０１、２０２は、再生データ領域１４０４に格納される。なお再生データ領域１４０４を第１符号化データを格納する領域と第２符号化データを格納する領域とに分割してもよい。また再生制御回路１４０２が備える同期検出情報生成部１４０２Ｂは、同期データ２０４、２０５等の複数の同期データの検出を行い、例えば図１のステップ１０１を参照して説明した同期検出情報を生成する方法を実行して同期検出情報１４０２Ｃを生成する。同期検出情報生成部１４０２Ｂは生成した同期検出情報１４０２Ｃを同期検出情報領域１４０５に格納する。
【０１８２】
　第１誤り訂正回路１４０９は、再生データ領域１４０４に格納されている第１符号化データ２０１に誤り訂正を行い、例えば図８のステップ８１１〜８１３を参照して説明した誤り位置情報の生成方法を実行して誤り位置情報１４０９Ａを生成する。第１誤り訂正回路１４０９は、生成した誤り位置情報１４０９Ａを誤り位置情報領域１４０６に格納する。なお第１誤り訂正回路１４０９は、再生データ領域１４０４に格納されている第１符号化データ２０１に、図８のフローチャートに示す処理を行い、生成した誤り位置情報１４０９Ａを誤り位置情報領域１４０６に格納することができる回路であればどのようなものであってもよい。
【０１８３】
　マイコン１４１１は、プログラムメモリ１４１２に格納された消失位置情報生成プログラム１４１３を解釈および実行し、消失位置情報１４１１Ａを生成して、生成した消失位置情報１４１１Ａを消失位置情報領域１４０７に格納する。またマイコン１４１１は、第２誤り訂正回路１４１０から、誤りが訂正不能であったという通知を受け取った場合には、終了条件分岐プログラム１４１４を解釈および実行し、終了条件を満たしていると判定すれば誤り訂正処理を終了し、満たしていないと判定すれば消失位置情報生成プログラム１４１３が示す別の消失位置情報生成方法を解釈および実行する。これにより、マイコン１４１１は、消失誤り訂正の繰り返しの実行時に用いる別の消失位置情報１４１１Ｂを生成し、消失位置情報領域１４０７に格納する。
【０１８４】
　第２誤り訂正回路１４１０は、消失位置情報領域１４０７に格納されている消失位置情報１４１１Ａまたは消失位置情報１４１１Ｂを用いて、再生データ領域１４０４に格納されている第２符号化データ２０２の消失誤り訂正を行う。また第２誤り訂正回路１４１０は、訂正結果をマイコン１４１１に通知する。なお第２誤り訂正回路１４１０は、再生データ領域１４０４に格納されている第２符号化データ２０２に、図１２のフローチャートに示す処理を行い、ステップ１２０８、１２０９、１２１０の実行時にそれぞれ誤りを訂正したこと、訂正不能であったこと、誤りがなかったことをマイコン１４１１に通知することができる回路であれば、どのようなものであってもよい。
【０１８５】
　実施の形態３では、第１符号化データ２０１および第２符号化データ２０２を誤り訂正方法を用いて再生する情報再生装置について説明した。図２に示す第１符号化データ２０１および第２符号化データ２０２の構成は一例にすぎず、第１誤り訂正符号と第２誤り訂正符号は、第１誤り訂正符号の冗長度が第２誤り訂正符号より高い符号であれば、どのような符号であってもよい。
【０１８６】
　また再生制御回路１４０２および誤り訂正回路１４０８が実行する処理の一部をソフトウェアを用いて実行してもよい。また、消失位置情報生成プログラム１４１３および終了条件分岐プログラム１４１４を用いて実行される処理を、消失位置情報生成プログラム１４１３および終了条件分岐プログラム１４１４を用いずにハードウェアで実現してもよい。
【０１８７】
　上記の処理を全てハードウェアで実現しようとすると、複数の消失位置情報生成方法それぞれに対して１つずつハードウェアを用意しなければならず、ハードウェアの規模が大きくなる。また全てソフトウェアで実現しようとすると、処理時間がかかる。しかしながら、実施の形態３のように、消失位置情報を生成する処理をソフトウェアを用いて行い、その他の処理をハードウェアで行うことにより、繰り返して消失誤り訂正を行う場合であっても、プログラムメモリ１４１２から読み出すプログラムを変更するだけで実現できるため、ハードウェアの規模を削減でき、処理時間も短縮できる。情報再生装置１４０は、誤り訂正処理を全てハードウェアで実現したり、もしくは全てソフトウェアで実現するのと比較して、開発期間およびコストの面で優れている。
【産業上の利用可能性】
【０１８８】
　本発明の誤り訂正方法および再生装置によれば、冗長度の高い第１符号化データに含まれる第１シンボルに誤りが検出された、または同期データが検出できなかった場合には、誤りが検出された第１シンボルまたは検出できなかった同期データの近傍に配列された第２シンボルを、誤りである可能性が高いことから消失として判定する。また、同期データが位置ずれして検出された場合には、その同期データより前に配列された符号化データに含まれるシンボルを、誤りである可能性が高いことから消失として判定し、その同期データより後ろに配列された符号化データに含まれるシンボルを誤りである可能性が低いことから消失ではないと判定する。また、検出できなかった同期データおよび位置ずれして検出された同期データが連続している場合には、次に正しく同期データが検出されるまでは、その間に読み出されたデータは誤りである可能性が高いことから、その連続する同期データの間の全ての符号化データに含まれるシンボルを消失として判定する。これらの方法により、より精度が高く消失位置を決定することができ、誤り訂正の能力を向上させることができる。
【０１８９】
　このように、本発明の誤り訂正方法および再生装置は、例えば複合符号化データの誤り訂正に有用である。
【図面の簡単な説明】
【０１９０】
【図１】本発明の実施の形態１における複合符号化データの誤り訂正方法の一例を示すフローチャート
【図２】複合符号化データの構成を示す図
【図３】複合符号化データの誤り訂正方法を示すフローチャート
【図４】誤り訂正方法における第２符号化データが消失となるときの同期データまたは第１シンボルの状態を表す図
【図５】誤り訂正方法における第２符号化データが消失となるときの同期データまたは第１シンボルの状態を表す図
【図６】誤り訂正方法における第２符号化データが消失となるときの同期データまたは第１シンボルの状態を表す図
【図７】複合符号化データが含む誤りの一例を示す図
【図８】本発明の実施の形態１における第１符号化データの誤りを訂正し、誤り位置情報を生成する方法の一例を示すフローチャート
【図９】本発明の実施の形態１における同期データまたは第１シンボルの状態を表す図
【図１０】本発明の実施の形態１における同期データまたは第１シンボルの状態を表す図
【図１１】本発明の実施の形態１における同期データまたは第１シンボルの状態を表す図
【図１２】本発明の実施の形態１における第２符号化データを消失誤り訂正する方法の一例を示すフローチャート
【図１３】本発明の実施の形態２における複合符号化データの誤り訂正方法の一例を示すフローチャート
【図１４】本発明の実施の形態３における情報再生装置の一例を示す図
【符号の説明】
【０１９１】
　２０１　２４個の第１誤り訂正符号により誤り訂正符号化された第１符号化データ
　２０２　３０４個の第２誤り訂正符号により誤り訂正符号化された第２符号化データ
　２０３　複合符号化データ
　２０４、２０５　同期データ
　２０６〜２１１　第１符号化データ
　２１２〜２１９　第２符号化データ
　２２０、４０４、５０６、６１０、９０８、１００６、１１１８　記録方向
　４０１、４０２、５０１〜５０３、６０１〜６０５、９０１〜９０３　同期データまたは第１シンボル
　４０３、５０４、５０５、６０６〜６０９、９０４、９０５、１１１０〜１１１７　消失となる第２符号化データ
　７０１〜７０３　第１符号化データまたは同期データ
　７０４〜７０９　第２符号化データ
　９０６、９０７、１００５　消失とならない第２符号化データ
　１００１、１１０３　ずれて検出された同期データ
　１００２、１００３、１１０４〜１１０９　第１シンボル
　１１０１、１１０２　同期データ
　１４０１　記録媒体
　１４０２　再生制御回路
　１４０３　書き換え可能メモリ
　１４０４　再生データ領域
　１４０５　同期検出情報領域
　１４０６　誤り位置情報領域
　１４０７　消失位置情報領域
　１４０８　誤り訂正回路
　１４０９　第１誤り訂正回路
　１４１０　第２誤り訂正回路
　１４１１　マイコン
　１４１２　プログラムメモリ
　１４１３　消失位置情報生成プログラム
　１４１４　終了条件分岐プログラム
【図１】
2004140816.tif 000012
【図２】
2004140816.tif 000013
【図３】
2004140816.tif 000014
【図４】
2004140816.tif 000015
【図５】
2004140816.tif 000016
【図６】
2004140816.tif 000017
【図７】
2004140816.tif 000018
【図８】
2004140816.tif 000019
【図９】
2004140816.tif 000020
【図１０】
2004140816.tif 000021
【図１１】
2004140816.tif 000022
【図１２】
2004140816.tif 000023
【図１３】
2004140816.tif 000024
【図１４】
2004140816.tif 000025